(57)【要約】履物品（２００、３００）は、１つまたは複数のアッパー部品（例えば、３０２Ａ、３０２Ｂ）から形成されたアッパー（２０２）を含んでもよく、少なくとも１つのアッパー部品は、アッパー（２０２）の足首収容部分（２１０）を画定し、少なくとも１つのアッパー部品（同じアッパー部品または異なるアッパー部品）は、アッパー（２００）の足の甲収容部分（２２０）を画定する。アッパー（２０２）の足挿入開口（２０６）（閉鎖システム（２３０）を含んでもよい）は、（ｉ）アッパー（２０２）の足首収容部分（２１０）の第１の側部（２１０ＡＬ）から、（ｉｉ）アッパー（２０２）の後部踵または足首領域（２１０ＡＲ）の周りで、（ｉｉｉ）アッパー（２０２）の足首収容部分（２１０）の第２の側部（２１０ＡＭ）に沿って、（ｉｖ）アッパー（２０２）の足の甲収容部分（２２０）を横断して、そして（ｖ）アッパー（２０２）の足の甲収容部分（２２０）の第１の側部（２２０ＩＬ）まで、延在してもよい。閉鎖システム（２３０）は、トラック（２３０Ｔ）（例えば、ジッパートラック）と、閉鎖システム（２３０）／足挿入開口（２０６）を開放構成（足挿入または足取り出し構成）と閉鎖構成（足係合構成）との間で切り替えるようにトラック（２３０Ｔ）に沿って移動可能なスライダー（２３０Ｓ）と、を含んでもよい。１つまたは複数の追加のストラップ（例えば、足首ストラップ（２４０）、１つまたは複数の内部ブーティストラップ（３２０Ａ、３２０Ｂ）など）、ファスナ（２４０Ｅ、２４０Ｓ）、および／またはロック（３３０）は、アッパー（２０２）／履物（２００、３００）を着用者の足と係合させるために提供されてもよい。【選択図】図３Ｃ
2021502157.tif 000002
【特許請求の範囲】
【請求項１】
１つまたは複数のアッパー部品から形成されたアッパーであって、少なくとも１つのアッパー部品は、前記アッパーの足首収容部分を画定し、少なくとも１つのアッパー部品は、前記アッパーの足の甲収容部分を画定する、アッパーと、
前記アッパーと係合する閉鎖システムと、
を含み、
前記閉鎖システムは、
（ａ）前記足首収容部分の第１の側部に位置している第１の端部から前記足の甲収容部分に位置している第２の端部まで延在するトラックであって、前記トラックは、前記足首収容部分の後部足首領域の周りで、前記足首収容部分の第２の側部に沿って、前記アッパーの前記足の甲収容部分まで延在する、トラック、および
（ｂ）前記トラックと係合するスライダーであって、前記スライダーは、前記閉鎖システムを開放状態と閉鎖状態との間で切り替えるように前記トラックに沿って移動可能である、スライダー
を備える、履物品。
【請求項２】
前記スライダーと係合する足首ストラップと、
前記閉鎖システムが前記閉鎖状態にあるときに、前記足首収容部分の前記第２の側部において前記足首ストラップを前記アッパーと解放可能に固定するファスナと、
をさらに備える、請求項１に記載の履物品。
【請求項３】
前記閉鎖システムが前記閉鎖状態にあるときに、前記足首ストラップは、前記足首収容部分の前記第１の側部から前記足首収容部分の前記第２の側部まで延在する、請求項２に記載の履物品。
【請求項４】
前記足首収容部分の前記第２の側部における前記トラックの一部分は、前記ファスナの少なくとも一部分から１インチ（２．５４ｃｍ）未満の距離に位置する、請求項２に記載の履物品。
【請求項５】
前記ファスナの少なくとも一部分は、前記トラックと前記アッパーの足挿入開口の頂部との間に位置する、請求項２に記載の履物品。
【請求項６】
前記足首ストラップは、前記足の甲収容部分を横断して延在する、請求項２に記載の履物品。
【請求項７】
前記履物品が水平支持表面上に向き付けされている場合、前記トラックの最後部の足首部分は、前記アッパーの最後部の頂点から１．５インチ（３．８１ｃｍ）未満の距離に位置する、請求項１〜６のいずれか一項に記載の履物品。
【請求項８】
前記トラックの前記第１の端部は、前記アッパーの足挿入開口の頂部から１．５インチ（３．８１ｃｍ）未満の距離に位置する、請求項１〜６のいずれか一項に記載の履物品。
【請求項９】
前記足首収容部分の前記第２の側部における前記トラックの一部分は、前記アッパーの足挿入開口の頂部から１．７５インチ（４．４５ｃｍ）未満の距離に位置する、請求項１〜６のいずれか一項に記載の履物品。
【請求項１０】
前記トラックの前記第２の端部は、前記アッパーの前記足の甲収容部分の第１の側部に位置し、前記トラックは、前記アッパーの前足部分において前記アッパーの中央縦方向軸を横断して延在する、請求項１〜６のいずれか一項に記載の履物品。
【請求項１１】
前記トラックはジッパートラックを含み、前記スライダーはジッパースライダーを含む、請求項１〜６のいずれか一項に記載の履物品。
【請求項１２】
前記アッパーは外部構成要素および内部構成要素を含み、前記閉鎖システムは前記外部構成要素と係合し、前記内部構成要素は足受けブーティを含む、請求項１〜６のいずれか一項に記載の履物品。
【請求項１３】
前記内部構成要素は、前記足受けブーティと係合する少なくとも１つのストラップをさらに含み、前記履物品は、前記少なくとも１つのストラップを締め付け状態で解放可能に固定するように適合された固定システムをさらに含む、請求項１２に記載の履物品。
【請求項１４】
前記内部構成要素は、（ａ）前記足受けブーティの踵収容領域の第１の側部から前記足受けブーティの足受け開口の前方の前記足受けブーティの第２の側部まで延在する第１のストラップセクションと、（ｂ）前記足受けブーティの前記踵収容領域の第２の側部から前記足受けブーティの前記足受け開口の前方の前記足受けブーティの第１の側部まで延在する第２のストラップセクションと、を含む、請求項１２に記載の履物品。
【請求項１５】
前記第１のストラップセクションは、前記足受けブーティの前記足受け開口の前方で前記第２のストラップセクションと交差する、請求項１４記載の履物品。
【請求項１６】
前記第１のストラップセクションは、前記アッパーの前記外部構成要素の内方の位置において前記足受けブーティの前記踵収容領域の前記第１の側部に沿って延在し、前記第２のストラップセクションは、前記アッパーの前記外部構成要素の内側の位置において前記足受けブーティの前記踵収容領域の前記第２の側部に沿って延在し、前記第１のストラップセクションは、前記アッパーの第１の後部踵領域において前記アッパーの前記外部構成要素の外方に延在し、前記第２のストラップセクションは、前記アッパーの前記第１の後部踵領域において、または前記アッパーの第２の後部踵領域において、前記アッパーの前記外部構成要素の外方に延在する、請求項１４または１５に記載の履物品。
【請求項１７】
前記アッパーの前記外部構成要素の後部踵領域に位置しているロックをさらに備え、前記第１のストラップセクションおよび前記第２のストラップセクションは、前記ロックに係合し、前記第１のストラップセクションまたは前記第２のストラップセクションが締め付け状態にあるときに、前記ロックによって解放可能に保持される、請求項１６に記載の履物品。
【請求項１８】
前記アッパーと係合する少なくとも１つのストラップと、
前記履物品の前記アッパーまたはソール構造体のうち少なくとも一方と係合し、前記少なくとも１つのストラップを締め付け状態で解放可能に保持するロックと、
をさらに備える、請求項１〜６のいずれか一項に記載の履物品。
【請求項１９】
前記アッパーの重なり合う層の間で、前記第１のストラップセクションの長さの少なくとも一部分にわたって延在する第１のストラップセクションと、
前記アッパーの重なり合う層の間で、前記第２のストラップセクションの長さの少なくとも一部分にわたって延在する第２のストラップセクションと、
前記第１のストラップセクションまたは前記第２のストラップセクションのうち少なくとも１つと係合し、前記第１のストラップセクションまたは前記第２のストラップセクションのうち少なくとも１つを締め付け状態で解放可能に保持するロックと、
をさらに備える、請求項１〜６のいずれか一項に記載の履物品。
【請求項２０】
前記アッパーの前記足の甲収容部分は、第１の側部と第２の側部とを含み、前記履物品は、
前記アッパーの踵収容領域の第１の側部から前記アッパーの前記足の甲収容部分の前記第２の側部まで延在する第１のストラップセクションと、
前記アッパーの前記踵収容領域の第２の側部から前記アッパーの前記足の甲収容部分の前記第１の側部まで延在する第２のストラップセクションと、
前記第１のストラップセクションまたは前記第２のストラップセクションのうち少なくとも１つと係合し、前記第１のストラップセクションまたは前記第２のストラップセクションのうち少なくとも１つを締め付け状態で解放可能に保持するロックと、
をさらに備える、請求項１〜６のいずれか一項に記載の履物品。
【請求項２１】
前記アッパーの前記足の甲収容部分は、第１の側部と第２の側部とを含み、前記履物品は、
前記アッパーの重なり合う層の間で、前記第１のストラップセクションの長さの少なくとも一部分にわたって延在する第１のストラップセクションであって、第１のストラップセクションは、前記アッパーの踵収容領域の第１の側部から前記アッパーの前記足の甲収容部分の前記第２の側部まで延在する、第１のストラップセクションと、
前記アッパーの重なり合う層の間で、前記第２のストラップセクションの長さの少なくとも一部分にわたって延在する第２のストラップセクションであって、第２のストラップセクションは、前記アッパーの前記踵収容領域の第２の側部から前記アッパーの前記足の甲収容部分の前記第１の側部まで延在する、第２のストラップセクションと、
前記第１のストラップセクションまたは前記第２のストラップセクションのうち少なくとも１つと係合し、前記第１のストラップセクションまたは前記第２のストラップセクションのうち少なくとも１つを締め付け状態で解放可能に保持するロックと、
をさらに備える、請求項１〜６のいずれか一項に記載の履物品。
【請求項２２】
前記第１のストラップセクションは、前記アッパーの足受け開口の前方で前記第２のストラップセクションと交差する、請求項１９記載の履物品。
【請求項２３】
前記固定システムは、前記アッパーの後部踵領域に位置する、請求項１８記載の履物品。
【請求項２４】
前記足首収容部分の前記第１の側部と前記足の甲収容部分の第１の側部とは、前記アッパーの外側部上に位置する、請求項１〜６のいずれか一項に記載の履物品。
【発明の詳細な説明】
【関連出願の相互参照】
【０００１】
本出願は、２０１７年１１月８日出願の米国仮特許出願第６２／５８２，９８８号に対する優先権の利益を主張するものである。米国仮特許出願第６２／５８２，９８８号は、参照により、その全体が本明細書に援用される。
【技術分野】
【０００２】
本発明は、履物の分野に関する。より具体的には、本発明の態様は、閉鎖システムを有する履物品に関し、閉鎖システムは、着用者の足を少なくとも部分的にラップアラウンドし、かつ／または着用者の足を少なくとも部分的にラップアラウンドする固定ストラップを含む。
【背景技術】
【０００３】
用語／一般情報
最初に、本明細書の様々な部分と、本明細書に記載される発明（複数可）とを理解するのに役立ついくつかの一般用語および情報が提供される。上述のように、本発明は履物の分野に関する。「履物」は、任意のタイプの足用の衣服を意味し、この用語は、すべてのタイプの靴、ブーツ、スニーカー、サンダル、草履（ｔｈｏｎｇ）、フリップフロップ、ミュール、スカフ（ｓｃｕｆｆ）、スリッパ、スポーツ専用靴（例えばトラックシューズ、ゴルフシューズ、テニスシューズ、野球用クリート、サッカーまたはフットボール用クリート、スキーブーツ、バスケットボールシューズ、クロストレーニングシューズなど）などを含むが、これらに限定されない。
【０００４】
図１はまた、本発明の明細書および／または態様を説明および理解するために有用であり得る情報を提供する。より具体的には、図１は、この図示した例において、履物品用のソール構造体の一部分を構成する履物構成要素１００の図示を提供する。以下に説明する同じ一般的な定義および用語は、一般的な履物および／または他の履物構成要素もしくはそれらの部分、例えばアッパー、ミッドソール構成要素、アウトソール構成要素、地面係合構成要素などに適用されてもよい。
【０００５】
最初に、図１に図示するように、本明細書で使用されている、「前方」または「前方方向」という用語は、特段に明記されていない限り、または文脈から明らかでない限り、履物構造体または構成要素１００の最前部の爪先（「ＦＴ」：ｆｏｒｗａｒｄ−ｍｏｓｔ  ｔｏｅ）領域に向かうことを意味するか、またはその方向を意味する。本明細書で使用されている、「後方」または「後方方向」という用語は、特段に明記されていない限り、または文脈から明らかでない限り、履物構造体または構成要素１００の最後部の踵領域（「ＲＨ」：ｒｅａｒ−ｍｏｓｔ  ｈｅｅｌ  ａｒｅａ）に向かうことを意味するか、またはその方向を意味する。本明細書で使用されている、「外側（ｌａｔｅｒａｌ）」または「外側部（ｌａｔｅｒａｌ  ｓｉｄｅ）」という用語は、特段に明記されていない限り、または文脈から明らかでない限り、履物構造体または構成要素１００の外方または「足の小指」側を意味する。本明細書で使用されている、「内側（ｍｅｄｉａｌ）」または「内側部（ｍｅｄｉａｌ  ｓｉｄｅ）」という用語は、特段に明記されていない限り、または文脈から明らかでない限り、履物構造体または構成要素１００の内方または「足の親指」側を意味する。
【０００６】
また、本発明の様々な例示的特徴および態様は、履物構成要素１００（履物ソール構造体、履物アッパー、または履物品全体など）の「縦方向」および／または「縦方向の長さ」に関して本明細書で開示または説明されてもよい。図１に示すように、「縦方向」は、対象の履物構成要素１００（この図示した例におけるソール構造体または足支持部材）の最後部の踵位置（図１のＲＨ）から最前部の爪先位置（図１のＦＴ）まで延びる線の方向として決定される。「縦方向の長さ」Ｌは、最後部の踵位置ＲＨから最前部の爪先位置ＦＴまで測定される長さ寸法である。最後部の踵位置ＲＨおよび最前部の爪先位置ＦＴは、構成要素１００（例えば履物品または足受け装置の一部として、例えばこの図示した例におけるソール構造体または足支持部材）が、無負荷状態で（例えば潜在的に構成要素１００が係合する靴の構成要素の重量／力以外に一切の重量または力が構成要素１００に加えられていない場合）水平支持表面Ｓ上に向き付けされるときに、前部および後部の平行垂直平面ＶＰに関する後部踵および前部爪先の接点を決定することによって位置付けることができる。特定の履物構成要素１００の最前部および／または最後部の位置が線分（接点ではない）を構成する場合、最前部の爪先位置および／または最後部の踵位置は、対応する線分の中点を構成する。特定の履物構成要素１００の最前部および／または最後部の位置が、２つ以上の分離された点または線分を構成する場合には、最前部の爪先位置および／または最後部の踵位置は、（中点自体が構成要素１００の構造体上にあるかどうかに関係なく）線分の最も遠くに離隔および分離された点ならびに／または最も遠くに離隔および分離された端点をつなぐ線分の中点を構成する。最前部および／または最後部の位置が、１つまたは複数の領域を構成する場合には、最前部の爪先位置および／または最後部の踵位置は、（全体地理的中心自体が構成要素１００の構造体上にあるかどうかに関係なく）その領域または複合領域の地理的中心を構成する。
【０００７】
構成要素１００が無負荷状態で水平支持表面Ｓ上に向き付けされている場合、構成要素または構造体１００の縦方向が決定されると、平面はこの縦方向に対して垂直に向き付けされてもよい（例えば、図１の紙面に出入りする平面）。これらの垂直平面の位置は、垂直平面が最後部の踵位置ＲＨと最前部の爪先位置ＦＴとの間の縦方向と交差する縦方向の長さＬに沿った位置に基づいて指定されてもよい。図１のこの図示した例では、最後部の踵位置ＲＨは、測定の原点（または「０Ｌ位置」）と見なされ、最前部の爪先位置ＦＴは、この構成要素の縦方向の長さの終点（または「１．０Ｌ位置」）と見なされる。平面位置は、この例では最後部の踵ＲＨの位置から前方に測定された、縦方向の長さＬ（０Ｌと１．０Ｌとの間）に沿ったその位置に基づいて指定されてもよい。図１は、縦方向に垂直（そして横方向に向き付けされ）、かつ（最後部の踵位置ＲＨから前方方向に測定された）位置０．２５Ｌ、０．４Ｌ、０．５Ｌ、０．５５Ｌ、０．６Ｌおよび０．８Ｌにおいて縦方向の長さＬに沿って位置している、様々な平面の位置を示している。これらの平面は、図１に示した図から紙面のページの内外に延びてもよく、同様の平面は、縦方向の長さＬに沿って他の任意の位置において向き付けされてもよい。これらの平面は、最後部の踵ＲＨと最前部の爪先ＦＴの位置を決定するために使用される平行垂直平面ＶＰと平行になってもよいが、これは必須ではない。むしろ、縦方向の長さＬに沿った垂直平面の向きは、縦方向の向きに依拠し、これは図１に示した配置／向きにおいて水平表面Ｓに対して平行であり、かつ／または垂直表面ＶＰに垂直である場合もあり得るが、そうならない場合もあり得る。
【０００８】
後述の「発明を実施するための形態」は、添付の図面と併せて読むと、より良好に理解されるであろう。これらの図面において、同様の参照番号は、その参照番号が記載されている種々の図のすべてにおいて、同一または同様の要素を指す。
【図面の簡単な説明】
【０００９】
【図１】本発明の特定の用語および態様を理解するために有用な背景および定義情報を図示および説明するのを助けるために提供される。
【図２Ａ】そのような履物品の種々の外部特徴の詳細を含む、本発明の少なくともいくつかの例による履物品の種々の図を提供する。
【図２Ｂ】そのような履物品の種々の外部特徴の詳細を含む、本発明の少なくともいくつかの例による履物品の種々の図を提供する。
【図２Ｃ】そのような履物品の種々の外部特徴の詳細を含む、本発明の少なくともいくつかの例による履物品の種々の図を提供する。
【図２Ｄ】そのような履物品の種々の外部特徴の詳細を含む、本発明の少なくともいくつかの例による履物品の種々の図を提供する。
【図３Ａ】そのような履物品の種々の内部特徴および外部特徴の詳細を含む、本発明の少なくともいくつかの例による履物品の種々の図を提供する。
【図３Ｂ】そのような履物品の種々の内部特徴および外部特徴の詳細を含む、本発明の少なくともいくつかの例による履物品の種々の図を提供する。
【図３Ｃ】そのような履物品の種々の内部特徴および外部特徴の詳細を含む、本発明の少なくともいくつかの例による履物品の種々の図を提供する。
【図３Ｄ】そのような履物品の種々の内部特徴および外部特徴の詳細を含む、本発明の少なくともいくつかの例による履物品の種々の図を提供する。
【図３Ｅ】そのような履物品の種々の内部特徴および外部特徴の詳細を含む、本発明の少なくともいくつかの例による履物品の種々の図を提供する。
【図４Ａ】本発明の少なくともいくつかの例による履物品に含まれ得るストラップロックの種々の図を提供する。
【図４Ｂ】本発明の少なくともいくつかの例による履物品に含まれ得るストラップロックの種々の図を提供する。
【図４Ｃ】本発明の少なくともいくつかの例による履物品に含まれ得るストラップロックの種々の図を提供する。
【図４Ｄ】本発明の少なくともいくつかの例による履物品に含まれ得るストラップロックの種々の図を提供する。
【図４Ｅ】本発明の少なくともいくつかの例による履物品に含まれ得るストラップロックの種々の図を提供する。
【図４Ｆ】本発明の少なくともいくつかの例による履物品に含まれ得るストラップロックの種々の図を提供する。
【図４Ｇ】本発明の少なくともいくつかの例による履物品に含まれ得るストラップロックの種々の図を提供する。
【図５Ａ】本発明の少なくともいくつかの例によるストラップおよび履物品の特徴を示す様々な図を提供する。
【図５Ｂ】本発明の少なくともいくつかの例によるストラップおよび履物品の特徴を示す様々な図を提供する。
【発明を実施するための形態】
【００１０】
読者は、添付の図面が必ずしも縮尺どおりに描かれていないことを理解する必要がある。
【００１１】
本発明の様態による履物構造体および構成要素の各種例に関する以下の説明においては、本明細書の一部を形成すると共に、本発明の態様が実施されてもよい種々の例示的構造体および環境を例示として示す添付の図面を参照する。他の構造体および環境が利用されてもよいことと、本発明の範囲から逸脱することなく具体的に説明した構造体および機能から構造的かつ機能的な修正を行い得ることと、を理解されたい。
【００１２】
Ｉ．本発明のいくつかの例示的態様についての一般的な説明
任意のタイプまたはスタイルの靴に潜在的に有用であるが、本発明の態様は、ブーツ；バスケットボールシューズを含む運動靴；またはハイトップアッパー付きの履物を含む他の履物に関して特に利益になり得る。
【００１３】
本発明の少なくともいくつかの例による履物品は、１つまたは複数のアッパー部品から形成されたアッパーを含んでもよく、少なくとも１つのアッパー部品は、アッパーの足首収容部分を画定し、少なくとも１つのアッパー部品（同じアッパー部品または別のアッパー部品）は、アッパーの足の甲収容部分を画定する。アッパーの足挿入開口（閉鎖システムを含んでもよい）は、（ｉ）アッパーの足首収容部分の第１の側部から、（ｉｉ）アッパーの後部踵または足首領域の周りで、（ｉｉｉ）アッパーの足首収容部分の第２の側部に沿って、そして（ｉｖ）アッパーの足の甲収容部分まで、部分的または連続的に延在してもよい。いくつかの実施形態では、足挿入開口は、アッパーの足の甲収容部分を横断して、そしてアッパーの足の甲収容部分の第１の側部まで（例えば、アッパーの前足部分においてアッパーの中央縦方向軸を横断して）延在してもよい。他の実施形態では、足挿入開口は、アッパーの前足部分においてアッパーの中央縦方向軸にまたはその手前にあるアッパーの前足部分内の位置まで（例えば、アッパーの前足部分においてアッパーの中央縦方向軸を横断せずに）延在してもよい。１つまたは複数の追加のストラップ（例えば、足首ストラップ、１つまたは複数の内部ブーティストラップなど）、ファスナ、および／またはロックは、アッパー／履物を着用者の足と係合させるために提供されてもよい。
【００１４】
本発明のいくつかの態様は、（ａ）履物品用のソール構造体と係合してもよい、１つまたは複数のアッパー部品から形成されたアッパーであって、少なくとも１つのアッパー部品は、アッパーの足首収容部分を画定し、少なくとも１つのアッパー部品（同じアッパー部品または異なるアッパー部品）は、アッパーの足の甲収容部分を画定する、アッパーと、（ｂ）アッパーと係合する閉鎖システムと、を含む履物品に関する。本発明のこの態様の少なくともいくつかの例による閉鎖システムは、（ｉ）アッパーの足首収容部分の第１の側部に位置している第１の端部（例えば、開放端部）からアッパーの足の甲収容部分に位置している（例えば、アッパーの足の甲収容部分の第１の側部に位置している、足の甲収容部分の第２の側部に位置している、履物品の外側部に位置している、履物品の内側部に位置している、アッパーの前足部分におけるアッパーの中央縦方向軸またはその両側に位置している、など）第２の端部（例えば、閉鎖端部）まで延在するトラックであって、トラックは、足首収容部分の後部足首領域の周りで、足首収容部分の第２の側部に沿って、そしてアッパーの足の甲収容部分まで（例えば、いくつかの実施形態では、足の甲収容部分の第１の側部と足の甲収容部分の第２の側部との間に位置している足の甲収容部分の中央部分にわたって、いくつかの実施形態では、アッパーの前足部分においてアッパーの中央縦方向軸を横断して、またはいくつかの実施形態では、アッパーの前足部分においてアッパーの中央縦方向軸における位置またはその手前まで）延在する、トラックと、（ｉｉ）トラックと係合するスライダーと、を含んでもよい。スライダーは、閉鎖システムを開放状態（足挿入または足取り出し状態）と閉鎖状態（足固定状態）との間で切り替えるようにトラックに沿って移動可能である。トラックは、アッパーの足挿入開口の前方の位置においてアッパーの中央縦方向軸を横断して延在してもよく、またはアッパーの前足部分におけるアッパーの中央縦方向軸にまたはその手前にあるアッパーの前足部分で終端してもよい。トラックおよびスライダーは、ジッパー構造体、インタロック圧力トラック構造体、またはトラックに沿って移動可能なスライダー、を使用して開閉される他の閉鎖システムを構成してもよい。
【００１５】
本発明のこの態様の少なくともいくつかの例では、足首ストラップはスライダーと係合してもよく、この足首ストラップは、ファスナを含んでもよく、かつ／またはそれと解放可能に係合してもよい。ファスナの少なくとも一部分は、例えば、アッパーの足首収容部分の第２の側部に位置するアッパー上に、または該アッパーの一部として提供されてもよい。閉鎖システムが閉鎖状態にあるときに、ファスナは、足首ストラップをアッパーと係合させて、アッパーを着用者の足首／足の周りに固定してもよい。ファスナの少なくとも一部分は、トラックとアッパーの足挿入開口の頂部との間に位置してもよく、かつ／またはトラックをブリッジングしてもよく、かつ／またはトラックの下に位置してもよい。ファスナは、１つまたは複数のスナップ、１つまたは複数のボタン、１つまたは複数の面ファスナ、１つまたは複数のバックル、１つまたは複数の紐またはタイ、１つまたは複数の磁石などのうち１つまたは複数などのような、任意のタイプの解放可能な固定構成要素を含んでもよい。
【００１６】
足首ストラップは、存在する場合、足首収容部分の第１の側部から（例えば、スライダートラックの端部において、例えば、履物品の外側部上おいて）、着用者の足／足首の前部を横断して（例えば、アッパーの足の甲収容部分を横断して）、そして閉鎖システムが閉鎖状態にあり、かつ足首ストラップ用のファスナが係合するときに、足首収容部分の第２の側部まで（例えば、履物品の内側部の上において）延在してもよい。足首ストラップ用のファスナの少なくとも一部分は、履物アッパーの内側部に位置してもよい。
【００１７】
次に、本発明の少なくともいくつかの例によるアッパー／履物品の様々な例示的寸法的特徴について説明する。本発明の少なくともいくつかの例は、以下の特徴のうち任意の１つまたは複数を含んでもよい：
（ａ）足首収容部分の第２の側部（例えば、内側部）のトラックの少なくとも或る部分は、ファスナの少なくとも或る部分（例えば、アッパーと係合する足首ストラップファスナの一部分）から１．５インチ（３．８１ｃｍ）未満、そしていくつかの例では、１．２５インチ（３．１８ｃｍ）未満、１インチ（２．５４ｃｍ）未満、またはさらには０．７５インチ（１．９１ｃｍ）未満の距離に位置してもよく（図２Ａおよび図３Ｂの寸法Ｄ１に注意）、かつ／または
（ｂ）履物品が無負荷状態で水平支持表面上に向きが定められた場合、トラックの最後部の足首部分は、アッパーの頂縁部の少なくとも或る部分から（例えば、アッパーの最後部の頂点および／または最後部の頂縁部から、アッパーの最後部の踵位置ＲＨにおけるアッパーの足挿入開口の頂点または頂縁部から、など）２インチ（５．０８ｃｍ）未満、そしていくつかの例では、１．７５インチ（４．４５ｃｍ）未満、１．５インチ（３．８１ｃｍ）未満、またはさらには１．２５インチ（３．１８ｃｍ）未満の距離に位置してもよく（図２Ｄの寸法Ｄ３に注意）、かつ／または
（ｃ）トラックの第１の端部（例えば、スライダートラックの開放端部）は、アッパーの足挿入開口の頂部の少なくとも或る部分から（例えば、履物が無負荷状態で水平支持表面上に向き付けされるときに、トラックの第１の端部の真上の垂直位置における足挿入開口の頂点または頂縁部から）２インチ（５．０８ｃｍ）未満、そしていくつかの例では、１．７５インチ（４．４５ｃｍ）未満、１．５インチ（３．８１ｃｍ）未満、またはさらには１．２５インチ（３．１８ｃｍ）未満の距離に位置してもよく（図２Ｂおよび図３Ａの寸法Ｄ４に注意）、かつ／または
（ｄ）足首収容部分の第２の側部（例えば、アッパーの内側部）におけるトラックの少なくとも或る部分は、アッパーの足挿入開口の頂部の少なくとも或る部分から（例えば、履物が無負荷状態で水平支持表面上に向き付けされるときに、足首収容部分の第２の側部におけるトラックの真上の垂直位置における足挿入開口の頂点または頂縁部から）２．２５インチ（５．７２ｃｍ）未満、２インチ（５．０８ｃｍ）未満、１．７５インチ（４．４５ｃｍ）未満、１．５インチ（３．８１ｃｍ）未満、またはさらには１．２５インチ（３．１８ｃｍ）未満の距離に位置してもよい（図２Ａおよび図３Ｂの寸法Ｄ２に注意）。
【００１８】
本発明の少なくともいくつかの例によるアッパーおよび／または履物品は、外部構成要素および内部構成要素を含んでもよい。このような構造体では、閉鎖システム（例えば、トラック）は、外部構成要素と係合してもよく、かつ／または内部構成要素は、（例えば、履物アッパー内に着用者の足を完全にまたは部分的に収容するための）足受けブーティを含んでもよい。この内部構成要素は、足受けブーティと係合する少なくとも１つのストラップをさらに含んでもよく、履物品（例えば、アッパー、ソール構造体など）は、少なくとも１つのストラップを着用者の足の周りに締め付け状態で解放可能に保持するロックをさらに含んでもよい。より具体的な例として、内部構成要素は、（ａ）足受けブーティの踵収容領域の第１の側部から足受けブーティの足受け開口の前方の足受けブーティの第２の側部まで延在する第１のストラップセクションと、（ｂ）足受けブーティの踵収容領域の第２の側部から足受けブーティの足受け開口の前方の足受けブーティの第１の側部まで延在する第２のストラップセクションと、を含んでもよい。第１のストラップセクションおよび第２のストラップセクション（１つのストラップまたは２つの別個のストラップの部品であり得る）は、例えば、足受けブーティの足受け開口の前方の位置において、互いに交差してもよい。本発明のこの態様の少なくともいくつかの例では、（ａ）第１のストラップセクションは、アッパーの外部構成要素の内方の位置において足受けブーティの踵収容領域の第１の側部に沿って延在してもよく、かつ／または（ｂ）第２のストラップセクションは、アッパーの外部構成要素の内方の位置において足受けブーティの踵収容領域の第２の側部に沿って延在してもよく、かつ／または（ｃ）第１のストラップセクションは、アッパーの第１の後部踵領域においてアッパーの外部構成要素の外方に延在してもよく、かつ／または（ｄ）第２のストラップセクションは、アッパーの第１の後部踵領域において、またはアッパーの第２の後部踵領域において、アッパーの外部構成要素の外方に延在してもよい。
【００１９】
本発明のこれらの例／態様によるロックは、１つまたは複数のストラップを締め付け状態で保持するための任意のタイプの固定システムであってもよく、ロックは、履物品の任意の位置上に位置してもよい。より具体的な例として、ロックの少なくとも一部分は、アッパーの外部構成要素の後部踵領域、またはソール構造体の後部踵領域に位置してもよい。第１のストラップセクションおよび／または第２のストラップセクションは、このロックと係合してもよく、ロックは、第１のストラップセクションおよび／または第２のストラップセクションを締め付け状態で（例えば、着用者の足の周りに）解放可能に保持する。いくつかのさらに具体的な例として、ロックは、第１のストラップセクションおよび／または第２のストラップセクションを挟んでそれ／それらを締め付け状態で所定の位置に保持する１つまたは複数のばね式支え表面；ストラップセクションのうち１つまたは複数のためのラチェット式巻取りリール；１つまたは複数のクランプ；１つまたは複数のクリップ；１つまたは複数のリテーナなどを含んでもよい。
【００２０】
本発明の少なくともいくつかの態様による他の例示的履物品では、履物品は、アッパーと係合する少なくとも１つのストラップと、アッパーまたはソール構造体のうち少なくとも１つと係合する少なくとも１つの部品を有するロックと、を含む。上記の構造体および／または特性のいずれかを有してもよいロックは、少なくとも１つのストラップを締め付け状態で解放可能に固定するように構成および位置決めされる。少なくとも１つのストラップは、（ａ）アッパーの重なり合う層の間で、第１のストラップセクションの長さの少なくとも一部分にわたって延在する（例えば、そしてアッパーの踵収容領域の第１の側部からアッパーの足の甲収容部分の第２の側部まで延在する）第１のストラップセクションと、（ｂ）アッパーの重なり合う層の間で、第２のストラップセクションの長さの少なくとも一部分にわたって延在する（例えば、そしてアッパーの踵収容領域の第２の側部からアッパーの足の甲収容部分の第１の側部まで延在する）第２のストラップセクションと、をさらに含んでもよい。第１のストラップセクションは、アッパーの足受け開口の前方で第２のストラップセクションと交差してもよい。ロックは、１つまたは複数のストラップセクションと係合する１つまたは複数の部品を含んでもよく、そしていくつかの例では、第１のストラップセクションと第２のストラップセクションの両方と係合する構造体（複数可）を含む。ロックは、履物構造体の任意の位置（複数可）に位置しかつ／または履物構造体の任意の部品（複数可）と（例えば、アッパーおよび／またはソール構造体の側部、アッパーの足の甲領域、アッパーおよび／またはソール構造体の後部踵領域などにおいて）係合してもよい。
【００２１】
本発明の追加の例または態様は、（ａ）アッパー（例えば、少なくとも１つの実施形態では、少なくとも第１のアッパー構成要素および第２のアッパー構成要素を有する）、および／または（ｂ）アッパーに沿って、そしてアッパーの足の甲収容部分を横断して延在する（例えば、第１のアッパー構成要素と第２のアッパー構成要素との間で延在する）延在する第１のストラップセクション、および／または（ｃ）アッパーに沿って、そしてアッパーの足の甲収容部分を横断して延在する（例えば、第１のアッパー構成要素と第２のアッパー構成要素との間で延在する）延在する第２のストラップセクション、（ｄ）アッパーと係合するソール構造体、および／または（ｅ）アッパー、第１のストラップセクション、第２のストラップセクション、またはソール構造体のうち少なくとも１つと（例えば、履物品の後部踵領域において）係合するロック、を有する履物品を含んでもよく、ロックは、第１のストラップセクションまたは第２のストラップセクションのうち少なくとも１つを締め付け状態で解放可能に保持する。第１のストラップセクションは、履物品の内側部から（例えば、履物品の内側中足部または内側前足部領域から）、履物品の足の甲領域を横断して、履物品の外側足首領域の周りで、そしてそれがロックと係合する後部踵位置まで延在してもよい。第１のストラップ部分は、例えば、アッパー、ソール構造体、および第１のストラップ部分が出会う位置において、（例えば、縫着、接着剤、機械的コネクタ（複数可）などによって）アッパー（例えば、第１のアッパー構成要素および／もしくは第２のアッパー構成要素）、ならびに／または内側中足部および／もしくは内側前足部領域におけるソール構造体（および／もしくは別の履物構成要素）、に固定され得る。追加的または代替的に、第２のストラップセクションは、履物品の外側部から（例えば、履物品の外側中足部または外側前足部領域から）、履物品の足の甲領域を横断して、履物品の内側足首領域の周りで、そしてそれがロックと係合する後部踵位置まで延在してもよい。第２のストラップ部分は、例えば、アッパー、ソール構造体、および第２のストラップ部分が出会う位置において、（例えば、縫着、接着剤、機械的コネクタ（複数可）などによって）アッパー（例えば、第１のアッパー構成要素および／もしくは第２のアッパー構成要素）、ならびに／または外側中足部および／もしくは外側前足部領域におけるソール構造体（および／もしくは別の履物構成要素）、に固定され得る。本発明のこの態様による履物品は、詳細に上述および／または後述されるアッパー、足挿入開口、および／または閉鎖システムのいずれかを含む、任意のタイプのアッパー、足挿入開口、および／または閉鎖システムを有してもよい。
【００２２】
本発明の追加のおよび／または他の態様による履物品は、
（ａ）第１のアッパー構成要素（１つまたは複数の部品、例えば、外部アッパー構成要素から形成される）と、
（ｂ）第２のアッパー構成要素（１つまたは複数の部品、例えば、内部アッパー構成要素および／または足収容ブーティから形成される）と、
（ｃ）第１のアッパー構成要素によって画定された足挿入開口（閉鎖システムを含んでもよい）であって、足挿入開口（および／または、存在する場合は、閉鎖システム）は、（ｉ）第１のアッパー構成要素の足首収容部分の第１の側部から、（ｉｉ）第１のアッパー構成要素の後部踵または足首領域の周りで、（ｉｉｉ）第１のアッパー構成要素の足首収容部分の第２の側部に沿って、そして（ｉｖ）アッパーの足の甲収容部分まで延在する（いくつかの実施形態では、（ａ）足挿入開口および／または閉鎖システムは、第１のアッパー構成要素の足の甲収容部分を横断して、そして第１のアッパー構成要素の足の甲収容部分の第１の側部まで延在してもよく、かつ／または（ｂ）足挿入開口および／または閉鎖システムは、アッパーの前足部分においてアッパーの中央縦方向軸を横断して延在してもよく、かつ／または（ｃ）足挿入開口および／または閉鎖システムは、アッパーの前足部分においてアッパーの中央縦方向軸にまたはその手前にあるアッパーの前足部分まで（例えば、アッパーの前足部分においてアッパーの中央縦方向軸を横断せずに）延在してもよい）、足挿入開口と、
（ｄ）第１のアッパー構成要素と第２のアッパー構成要素との間で、そして第１のアッパー構成要素の足の甲収容部分を横断して（例えば、下で）延在する第１のストラップセクションと、
（ｅ）第１のアッパー構成要素と第２のアッパー構成要素との間で、そして第１のアッパー構成要素の足の甲収容部分を横断して（例えば、下で）延在する第２のストラップセクションと、
（ｆ）第１のアッパー構成要素または第２のアッパー構成要素のうち少なくとも１つと係合するソール構造体と、
（ｇ）第１のアッパー構成要素、第２のアッパー構成要素、第１のストラップセクション、第２のストラップセクション、またはソール構造体のうち少なくとも１つと、例えばこれらの構成要素のうち任意の１つまたは複数の後部踵領域において、係合するロックであって、ロックは、第１のストラップセクションまたは第２のストラップセクションのうち少なくとも１つを締め付け状態で（例えば、着用者の足の周りに）解放可能に保持する、ロックと、
を含んでもよい。
例えば、トラックと、いくつかの例ではトラックと係合するスライダーとを含む、足挿入開口の長さに沿って延在する閉鎖システム（例えば、上述したジッパーまたは他のスライダーベースの閉鎖システム）が提供されてもよく、トラックに沿ったスライダーの移動は、閉鎖システムを開放状態と閉鎖状態との間で切り替える（そして足挿入開口を切り替える）。追加的または代替的に、この閉鎖システムは、存在する場合、足挿入開口の長さに沿った１つまたは複数の位置に提供される、１つまたは複数のボタン、１つまたは複数のスナップ、１つまたは複数の面ファスナ、１つまたは複数のバックル、１つまたは複数の固定ストラップ、１つまたは複数の圧力インタロックトラック構造体（例えば、スライダーなしであるが、手の圧力または他の圧力源によって開閉されてもよいトラック）、１つまたは複数のタイ、１つまたは複数の磁石などのうち１つまたは複数を含んでもよい。別の代替または潜在的な特徴として、このタイプの閉鎖システムは省略されてもよい（例えば、そして足挿入開口は、（例えば、上記のタイプおよび／または以下により詳細に説明されるタイプの）足首ストラップまたは他の構造体によって閉じられたままであってもよい）。
【００２３】
本発明のこれらの例／態様による履物品はまた、第１のアッパー構成要素または第２のアッパー構成要素のうち少なくとも１つの一部として提供されるかまたはそれと係合する足首ストラップ（例えば、履物品および／またはアッパーの中央縦方向軸を横断して、かつ／または第１のアッパー構成要素および／または第２のアッパー構成要素の足の甲収容部分を横断して延在する足首ストラップ）を含んでもよい。足首ストラップは、存在する場合、閉鎖状態に足挿入開口（および／または存在する場合は閉鎖システム）を（部分的または完全に）解放可能に保持するファスナを含んでもよく、かつ／またはそれと解放可能に係合してもよい。
【００２４】
本発明のこれらの例／態様では、第１のストラップセクションは、第２のアッパー構成要素の踵収容領域の第１の側部に沿って延在してもよく、第２のストラップセクションは、第２のアッパー構成要素の踵収容領域の第２の側部に沿って延在てもよい。本発明の少なくともいくつかの例では、第１のストラップセクションは、例えば第１のアッパー構成要素の第１の後部踵領域において、第１のアッパー構成要素を通って延在してもよく、かつ／または第２のストラップセクションは、例えば第１のアッパー構成要素の第１の後部踵領域において、または第１のアッパー構成要素の第２の後部踵領域おいて、第１のアッパー構成要素を通って延在してもよい。これらのストラップセクション（複数可）は、後部踵領域（複数可）においてロックと係合してもよい。
【００２５】
上記の説明では、履物品、アッパー、または他の履物構成要素の「第１の側部」が外側部であってもよく、履物品、アッパー、または他の履物構成要素の「第２の側部」が内側部であってもよいと言及されているが、本発明の態様による少なくともいくつかの例示的構造体では、「第１の側部」が内側部となり得、「第２の側部」が外側部となり得る。
【００２６】
次に、本発明の構造体および態様のより具体的な例を、添付の図面を参照して説明する。
【００２７】
ＩＩ．本発明の例による履物および履物構成要素についての詳細な説明
図２Ａ〜図２Ｄは、本発明の少なくともいくつかの例および態様による履物品２００の内側面図、外側面図、正面図、および背面図をそれぞれ提供する。この例示的履物品２００は、ハイトップブーツまたはバスケットボールシューズである。しかし、本発明の態様はまた、他のイベントおよび／または他のタイプの使用もしくは活動のための靴に使用されてもよい。履物品２００は、アッパー２０２と、アッパー２０２と係合するソール構造体２０４と、を含む。アッパー２０２およびソール構造体２０４は、履物技術分野において従来から公知でありかつ使用されている方式を含む任意の方式で（例えば、接着剤またはセメント、縫着または縫合、機械的コネクタなどによって）一緒に係合してもよい。アッパー２０２はまた、使用者の足が履物２００の内部足受けチャンバにアクセスすることを可能にする足挿入開口２０６を画定する。足受けチャンバは、少なくとも部分的に履物アッパー２０２によって、少なくとも部分的にソール構造体２０４によって、かつ／または少なくとも部分的に他の履物構成要素によって画定されてもよい。
【００２８】
ソール構造体２０４は、履物技術分野で公知でありかつ使用されている従来の材料および／または従来の構成要素／多数の構成要素を含む、本発明から逸脱することのない任意の材料（複数可）および／または多数の構成要素から作製されてもよい。いくつかのより具体的な例として、ソール構造体２０４は、（例えば、衝撃力の減衰性、着用者の快適性などのうち１つまたは複数を提供するための）１つまたは複数のミッドソール構成要素および／または（例えば耐摩耗性、牽引性（ｔｒａｃｔｉｏｎ）、地面接触部材などのうち１つまたは複数を提供するための）１つまたは複数のアウトソール構成要素を含んでもよい。ミッドソール構成要素（複数可）は、存在する場合、１つまたは複数のポリマーフォーム材料部品（例えば、ポリウレタンフォーム材料（複数可）、エチル酢酸ビニルフォーム材料（複数可）などから作製される）；１つまたは複数の流体充填ブラダ；１つまたは複数の機械的ショックアブソーバなどのうち１つまたは複数を含んでもよい。ミッドソール構成要素（複数可）は、もしあれば、アッパーと（例えば、ストローベル部材、外部アッパー構成要素、内部アッパー構成要素、ブーティ構成要素などの１つまたは複数のアッパー構成要素と）直接係合してもよい。アウトソール構成要素（複数可）は、もしあれば、天然または合成皮革、天然または合成ゴム、熱可塑性ポリウレタン、ポリウレタン、エチル酢酸ビニル材料などの従来のアウトソール材料から作製されてもよい。アウトソール構成要素（複数可）は、もしあれば、１つまたは複数のミッドソール構成要素、１つまたは複数のアッパー構成要素、および／または別の履物構成要素と係合してもよい。１つまたは複数の実施形態に存在する別の代替特徴として、単一のソール構造体構成要素または部品は、履物品２００用の衝撃力減衰構成要素および地面接触構成要素の両方として機能してもよい（例えば、ミッドソール構成要素およびアウトソール構成要素の両方として機能する）。
【００２９】
図２Ａ〜図２Ｄに示すように、この例示的履物品２００のアッパー２０２は、
（ａ）第１の側部（例えば外側部２１０ＡＬ）と、第２の側部（例えば内側部２１０ＡＭ）と、後部部分２１０ＡＲと、を有する足首収容部分２１０と、
（ｂ）第１の側部（例えば、外側部２２０ＩＬ）と、第２の側部（例えば、内側部２２０ＩＭ）と、中央部分２２０ＩＣと、を有する足の甲収容部分２２０と、
を画定する１つまたは複数のアッパー部品を含む。
アッパー２０２（ならびに足首収容部分２１０を画定する部品（複数可）、および／または足の甲収容部分２２０を画定する部品（複数可））は、履物技術分野で公知でありかつ使用されている従来の材料および／または従来の構成要素／多数の構成要素を含む、本発明から逸脱することのない任意の材料（複数可）および／または多数の構成要素から作製されてもよい。
【００３０】
この例示的履物品２００は、アッパー２０２と係合する閉鎖システム２３０を含み、この閉鎖システム２３０を使用して、アッパー２０２の足挿入開口２０６（および閉鎖システム２３０）を開放状態（使用者が自分の足を挿入したり、または取り出したりすることができる）と閉鎖状態（アッパー２０２が着用者の足に固定されている）との間で切り替える。この図示した例では、閉鎖システム２３０は、アッパー２０２の足首収容部分２１０ＡＬの第１の側部（例えば外側部）に位置している第１の端部２３０Ａ（例えば開放端部）からアッパー２０２の足の甲収容部分２２０ＩＬの第１の側部（例えば外側部）に位置している第２の端部２３０Ｂ（例えば、閉鎖端部）まで延在するトラック２３０Ｔを含む。このようにして、図２Ａ〜図２Ｄに示すように、トラック２３０Ｔは、（ａ）アッパー２０２の足首収容部分２１０の後部足首領域２１０ＡＲの周りで、（ｂ）アッパー２０２の足首収容部分２１０の第２の側部（例えば内側部）２１０ＡＭに沿って、そして（ｃ）アッパー２０２の足の甲収容部分２２０の中央部分２２０ＩＣを横断して（例えば、足挿入開口２０６の前方の位置においてアッパー２０２の中央縦方向軸を横断して）延在してもよい。アッパー２０２の足の甲収容部分２２０の中央部分２２０ＩＣは、アッパー２０２の足の甲収容部分２２０の第１の側部（例えば外側部）２２０ＩＬとアッパー２０２の足の甲収容部分２２０の第２の側部（例えば内側部）２２０ＩＭとの間に位置する（例えば、第１の側部２２０ＩＬと第２の側部２２０ＩＭとをブリッジングおよび／または連結する）。トラック２３０Ｔによって画定されたアッパー２０２上の経路はまた、アッパー２０２／履物品２００の足挿入開口２０６の全部または一部を画定してもよい。
【００３１】
スライダー２３０Ｓは、この例示的履物２００の構造体においてトラック２３０Ｔと係合する。スライダー２３０Ｓは、この例示的閉鎖システム２３０を、開放状態（例えば、足挿入または足取り出し状態）と閉鎖状態（例えば、足固定状態）との間で切り替えるようにトラック２３０Ｔに沿って移動可能である。トラック２３０Ｔおよびスライダー２３０Ｓは、ジッパータイプの閉鎖システムまたは他のスライダーベースのタイプの閉鎖システム（例えば、スライダーなどを備えたインタロックトラック構造体）を構成してもよい。別の代替または潜在特徴として、スライダー２３０Ｓは省略され得、トラック２３０Ｔは、インタロックトラック部品に圧力を加えることにより閉鎖することができ、かつ引き離し／引っ張り力により開放することができる、インタロックトラックを構成してもよい（例えば、再密閉可能な食品保存バッグに沿った閉鎖トラックと同種）。追加的または代替的に、この閉鎖システム２３０は、足挿入開口２０６の長さおよび／または閉鎖システム２３０のトラック２３０Ｔの長さに沿った（例えば、トラック２３０Ｔに沿った第１の端部２３０Ａから第２の端部２３０Ｂまで）１つまたは複数の位置に提供される、１つまたは複数のボタン、１つまたは複数のスナップ、１つまたは複数の面ファスナ、１つまたは複数のバックル、１つまたは複数の固定ストラップ（例えば、足首ストラップを含む）、１つまたは複数のタイ、１つまたは複数の磁石などのうち１つまたは複数を含んでもよい。
【００３２】
図２Ａ〜図２Ｄは、この例示的履物品２００が、例えば、履物品２００を着用者の足に固定するのを助けるために前部足首カバー部分２１０ＡＦの周りで、かつ／またはアッパー２０２の中央足の甲収容部分２２０ＩＣを横断して延在する、足首ストラップ２４０を含むことをさらに図示する。本発明の少なくともいくつかの例によれば、足首ストラップ２４０は、閉鎖システム２３０のスライダー２３０Ｓと係合してもよい。この例の足首ストラップ２４０は、アッパー２０２に解放可能に固定するためにファスナを含み、かつ／またはそれと係合する。より具体的な例として、ファスナは、例えば、足首収容部分の第２の側部（例えば内側部２１０ＡＭ）にてアッパー２０２と係合する固定構成要素２４０Ｓと解放可能に係合する係合要素２４０Ｅを含んでもよい。この例では、足首ストラップ２４０は、足首ストラップ２４０、足挿入開口２０６、および／または全体的な閉鎖システム２３０を開放状態（図３Ａ〜図３Ｅに関連してより詳細に説明されるように、足首ストラップ２４０が固定構成要素２４０Ｓから係合解除されている状態）と閉鎖状態（例えば図２Ａ〜図２Ｄに示すように、足首ストラップ２４０が固定構成要素２４０Ｓと係合している状態）との間で切り替えるように固定構成要素２４０Ｓと解放可能に係合する。足首ストラップ２４０に含まれる係合要素２４０Ｅと、アッパー２０２と係合する固定構成要素２４０Ｓと、の組み合わせ；１つまたは複数のスナップ；１つまたは複数のボタン；１つまたは複数の面ファスナ；１つまたは複数のバックル；１つまたは複数の紐またはタイ；１つまたは複数の磁石などのうち１つまたは複数を含む任意のタイプのファスナが、本発明から逸脱することなく使用されてもよい。この具体的に図示した例では、ファスナは、固定要素２４０Ｅとその協働固定構成要素２４０Ｓとの組み合わせを含み、これらは構造的には従来の解放可能なスナップコネクタの部品である。
【００３３】
図２Ａ〜図２Ｄにさらに示すように、この例示的履物構造体２００では、足首ストラップ２４０は、足挿入開口２０６、閉鎖システム２３０、および／またはストラップ２４０が閉鎖状態にあるときに、アッパー２０２の足首収容部分２１０の第１の側部２１０ＡＬ（例えば外側部）から、足首収容部分２１０の第２の側部２１０ＡＭ（例えば、内側部）まで延在する。この足首ストラップ２３０、アッパー２０２との係合、および開放状態と閉鎖状態との間の移行のさらなる詳細は、図３Ａ〜図３Ｅと併せてより詳細に説明される。
【００３４】
図２Ａ〜図２Ｄは、本発明の少なくともいくつかの例による履物品２００およびその構成要素の追加の例示的特徴を図示する。例えば、図２Ａに示すように、足首収容部分２１０の第２の側部２１０ＡＭ（例えば、内側部）におけるトラック２３０の一部分は、係合要素２４０Ｅ（足首ストラップ２４０が固定されているとき）またはその協働固定構成要素２４０Ｓの少なくとも一部分から１．５インチ（３．８１ｃｍ）未満、そして一部の例では、１．２５インチ（３．１８ｃｍ）未満、１インチ（２．５４ｃｍ）未満、またはさらには０．７５インチ（１．９１ｃｍ）未満の距離Ｄ１に位置してもよい。また、図２Ａ〜図２Ｄに示すように、係合要素２４０Ｅおよび／またはその対応する固定構成要素２４０Ｓは、トラック２３０Ｔとアッパー２０２の足挿入開口２０６の頂部（例えば、頂縁部２０６Ｅ）との間に位置してもよい。追加的または代替的に、本発明の少なくともいくつかの例では、足首収容部分２１０の第２の側部２１０ＡＭ（例えば、内側部）におけるトラック２３０Ｔの一部分は、アッパー２０２の足挿入開口２０６の頂部（例えば、頂縁部２０６Ｅ）から２．２５インチ（５．７２ｃｍ）未満、２インチ（５．０８ｃｍ）未満、１．７５インチ（４．４５ｃｍ）未満、１．５インチ（３．８１ｃｍ）未満、またはさらには１．２５インチ（３．１８ｃｍ）未満の距離Ｄ２に位置してもよい。
【００３５】
図２Ｄに示すように、別のまたは代替の潜在的な寸法的特徴として、本発明の少なくともいくつかの例において、履物品２００が水平ベース表面上に向き付けされている場合、トラック２３０Ｔの最後部の足首部分の頂部（および／またはトラック２３０Ｔの最後部の足首部分全体）は、アッパー２０２の最後部の頂点または頂縁部２０６Ｅから、２インチ（５．０８ｃｍ）未満、そしていくつかの例では、１．７５インチ（４．４５ｃｍ）未満、１．５インチ（３．８１ｃｍ）未満、またはさらには１．２５インチ（３．１８ｃｍ）未満の距離Ｄ３に位置してもよい。いくつかの例では、距離Ｄ３は、アッパー２０２の最後部の踵位置ＲＨにおけるトラック２３０Ｔの頂部から、アッパー２０２の最後部の踵位置ＲＨにおけるアッパー２０２の足挿入開口２０６の最後部の頂点または最後部の頂縁部２０６Ｅまで測定されてもよい。本発明の少なくともいくつかの例によれば、図２Ｂに示すように、トラック２３０の第１の端部２３０Ａ（例えば、足挿入開口２０６の開放端部）は、例えば、アッパー２０２および足挿入開口２０６が閉鎖状態にあり、履物２００が無負荷状態で水平ベース表面上に支持されている場合、アッパー２０２の足挿入開口２０６の頂部（例えば、頂縁部２０６Ｅ）から、２インチ（５．０８ｃｍ）未満、そしていくつかの例では、１．７５インチ（４．４５ｃｍ）未満、１．５インチ（３．８１ｃｍ）未満、またはさらには１．２５インチ（３．１８ｃｍ）未満の距離Ｄ４に位置してもよい。
【００３６】
本発明の少なくともいくつかの例によれば、トラック２３０の第１の端部２３０Ａおよび／または足挿入開口２０６は、Ｐ＝０．２５ＬおよびＰ＝０．４５Ｌに位置している平行平面の間で、そしていくつかの例では、Ｐ＝０．３ＬおよびＰ＝０．４Ｌ（図２ＢにはＰ＝０．３４Ｌが示されている）に位置している平行平面の間でアッパー２０２の足首収容部分２１０の第１の側部２１０ＡＬに、例えば履物品２００の縦方向Ｌに沿った位置に位置してもよい。追加的または代替的に、足挿入開口２０６および／またはトラック２３０Ｔは、第１の端部２３０Ａから、例えば、Ｐ＝０ＬおよびＰ＝０．２Ｌに位置している平行平面の間で、そしていくつかの例では、Ｐ＝０．０５ＬおよびＰ＝０．１５Ｌ（図２ＢにはＰ＝０．０９Ｌが示されている）に位置している平行平面の間で履物品２００の縦方向Ｌに沿って位置している、最後部の開口／トラック位置ＰＴまで後方に延在してもよい。追加的または代替的に、着用者の足首の周りで延在した後、足挿入開口２０６および／またはトラック２３０Ｔは、例えば、Ｐ＝０．６ＬおよびＰ＝０．８５Ｌに位置している平行平面の間で、そしていくつかの例では、Ｐ＝０．６５ＬおよびＰ＝０．８Ｌ（図２ＢにはＰ＝０．７４Ｌが示されている）に位置している平行平面の間で履物品２００の縦方向Ｌに沿って位置している、それの他の端部２３０Ｂまで（または最前点まで）延在してもよい。上述のように、本発明の少なくともいくつかの例におけるトラック２３０Ｔ（および／または足挿入開口２０６）の第２の端部２３０Ｂは、アッパー２０２の足の甲収容部分２２０の第１の側部２２０ＩＬ（例えば、トラック２３０Ｔの第１の端部２３０Ａおよび／または足挿入開口２０６が位置しているアッパー２０２の同じ側部）上に位置する。追加的または代替的に、図２Ａに示すように、ファスナ（例えば、２４０Ｅおよび／または２４０Ｓ）の少なくとも一部分、または足首ストラップ２４０のためのアッパー２０２への固定位置（もしあれば）は、例えば、Ｐ＝０．２ＬとＰ＝０．４５Ｌに位置している平行平面の間で、そしていくつかの例では、Ｐ＝０．２５ＬおよびＰ＝０．４Ｌ（図２ＡにはＰ＝０．３２Ｌが示されている）に位置している平行平面の間で履物品２００の縦方向Ｌに沿って位置している、アッパー２０２の足首収容部分２１０の第２の側部２１０ＡＭ上に位置付けてもよい。しかし、これらの様々な部品および／または特徴のうち任意の１つまたは複数の他の配置および／または位置が、本発明から逸脱することなく使用されてもよく、かつ／もしくは本発明のいくつかの例による履物品が、これらの位置特徴および／または特性のうち任意の１つまたは複数を有してもよい。上述の平面位置は、図１と併せて上述した方式で決定される。
【００３７】
図２Ａ〜図２Ｄは、この例示的履物品２００のアッパー２０２が、少なくともアッパー２０２の踵領域の周りで延在する踵支持部２５０を含むことをさらに図示する。踵支持部２５０は、履物品２００用の従来の踵カウンタータイプの構造体または他の踵支持部構造体として少なくとも部分的に機能してもよい。この図示した例では、アッパー２０２の踵支持部２５０は、例えば図３Ａ〜図４Ｇと併せてより詳細に後述されるロック３３０を含む。
【００３８】
例えば図２Ａ〜図２Ｄの履物品２００およびアッパー２０２の例を含む、本発明の少なくともいくつかの例による履物品およびアッパーの追加または代替の潜在的特徴は、図３Ａ〜図３Ｅと併せて後述される。そのような履物品およびアッパーの潜在的および例示的な構造的特徴を示すことに加えて、図３Ａ〜図３Ｅは、図２Ａ〜図２Ｄの履物品２００、アッパー２０２、閉鎖システム２３０、およびストラップ２４０を含む、そのような履物品およびアッパーが、開放状態（例えば、足挿入または足取り出し構成）と閉鎖状態（例えば、足固定構成）との間で切り替えられ得る１つの方式をさらに示す。図２Ａ〜図２Ｄにおいて使用されているのと同じ参照番号が図３Ａ〜図３Ｅにおいても使用される場合、これらの参照番号は、同一または類似の部品／構造体を表す（そして、図３Ａ〜図３Ｅのこれらの部品／構造体は、図２Ａ〜図２Ｄと併せて上述したそれらに対応する部品と同じ代替物および／または特徴を有してもよい）。これらの同一または類似の部品／構造体の繰り返しの説明は省略される。
【００３９】
図３Ａ〜図３Ｅに示すように、この例示的履物品３００は、第１のアッパー構成要素３０２Ａ（例えば、外部アッパー構成要素）および第２のアッパー構成要素３０２Ｂ（例えば、内部アッパー構成要素）を含む。これらのアッパー構成要素３０２Ａおよび３０２Ｂは、一緒に固定されてもよいか、または互いに分離可能であってもよい。この例示的履物品３００において、足挿入開口２０６は、第１のアッパー構成要素３０２Ａによって少なくとも部分的に画定される。この具体的に図示した例示的履物品３００では、足挿入開口２０６は、（ａ）第１のアッパー構成要素３０２Ａの足首収容部分２１０の第１の側部２１０ＡＬから、（ｂ）第１のアッパー構成要素３０２Ａの後部踵または足首領域２１０ＡＲの周りで、（ｃ）第１のアッパー構成要素３０２Ａの足首収容部分２１０の第２の側部２１０ＡＭに沿って、（ｄ）第１のアッパー構成要素３０２Ａの足の甲収容部分２２０を横断して、そして（ｅ）第１のアッパー構成要素３０２Ａの足の甲収容部分２２０の第１の側部２２０ＩＬまで延在する。上記の項目（ａ）から（ｅ）で説明した足挿入開口２０６の上記の部分のうち１つまたは複数はまた、上記で詳細に説明したように、トラック２３０Ｔおよびスライダー２３０Ｓなどの閉鎖システム２３０、または他のタイプの閉鎖システムを含んでもよい。第１のアッパー構成要素３０２Ａの頂縁部２０６Ｅはまた、この例の足挿入開口２０６の一部分を形成する。この頂縁部２０６Ｅは、例えば、着用者の足首／脚とのフィットを形成しかつ／またはそれらとしっかりと係合するように、弾性または他の材料を含んでもよい。ソール構造体２０４は、第１のアッパー構成要素３０２Ａおよび／または第２のアッパー構成要素３０２Ｂ（または別の履物構成要素部品）のうち少なくとも１つと係合してもよい。
【００４０】
図３Ａ〜図３Ｅに示す履物品３００は、例えば、図２Ａ〜図２Ｄについて上述したようなこれらの構成要素の特徴および／または代替のいずれかを有する、足首ストラップ２４０および／または足首ストラップ２４０用のファスナ（例えば２４０Ｅ／２４０Ｓ）をさらに含んでもよい。
【００４１】
図２Ａ〜図３Ｄに示すように、足挿入開口２０６および／または閉鎖システム２３０は、（ａ）履物２００，３００が着用者の足に固定されてもよい閉鎖状態（例えば、図２Ａ〜図２Ｄに示すような足固定状態）と、（ｂ）アッパー２０２／３０２Ａから足を挿入または取り出しできる開放状態（例えば、図３Ｃに最も完全に示すような足挿入または足取り出し状態）と、の間で互いに切り替え可能であってもよい。アッパー２０２／３０２Ａの足首収容部分２１０（１つまたは複数の部品から形成されてもよい）は、（例えば、閉鎖システム２３０および／または足首ストラップ２４０を使用して）着用者の足／足首の周りをラップアラウンドしかつ解放可能に固定する材料の「フラップ（ｆｌａｐ）」または他の可撓性の構成要素を構成する。
【００４２】
図２Ｂと図３Ａの比較によって最もよく見られるように、これらの例示的アッパー２０２／３０２Ａの足首収容部分２１０は、アッパー２０２／３０２Ａの足首収容部分２１０が閉鎖状態にあるときに、第２の端部３１０Ｂと出会う（そして重なり合ってもよい）第１の端部３１０Ａを含む。これらの端部３１０Ａ／３１０Ｂは、この例示的アッパー２０２／３０２Ａの足首包み込み部分を画定してもよい。図２Ａ〜図３Ｅに示す例示的履物品２００／３００において、第１の足首包み込み端部３１０Ａは、アッパー２０２／３０２Ａの足首収容部分２１０が閉鎖状態にあるときに、第２の足首包み込み端部３１０Ｂと重なり合う。いくつかの履物構造体では、第１の足首包み込み端部３１０Ａおよび／または第２の足首包み込み端部３１０Ｂのうち一方または両方にファスナが提供されて、これらの端部３１０Ａ／３１０Ｂを一緒に固定し得る。このようなファスナは、１つまたは複数のスナップ、１つまたは複数のボタン、１つまたは複数の面ファスナ、１つまたは複数のバックル、１つまたは複数の紐またはタイ、１つまたは複数の磁気コネクタ／ファスナなどのうち１つまたは複数を含んでもよい。しかし、図示した例では、ファスナーはこれらの２つの端部３１０Ａ／３１０Ｂに含まれていないが、端部３１０Ａ／３１０Ｂは、閉鎖構成にある場合、単に重なり合う。図３Ａに示すように、足首カバー部分２１０が閉鎖位置（または閉鎖）に向き付けされている状態、および履物品３００が水平支持表面上に支持されている場合、足首収容部分２１０の第２の足首包み込み端部３１０Ｂは、トラック２３０Ｔの第１の端部２３０Ａと垂直に整列するか、もしくは垂直に重なり合う（かつ／または足挿入開口２０６の端部は、第２の足首包み込み端部３１０Ｂと垂直に整列するかもしくは垂直に重なり合う）。このようにして、アッパー構成要素３０２Ａの足首カバー部分２１０の頂部は、足挿入開口２０６および／または閉鎖システム２３０（存在する場合）が完全に閉鎖されているときに（例えば、スライダー２３０Ｓがトラック２３０Ｔの端部２３０Ａにあるときに）、着用者の足首／脚を完全に包囲する。
【００４３】
重なり合うのではない別の可能性として、２つの端部３１０Ａ／３１０Ｂは、互いに当接しているか、または互いに近接して置かれていてもよい（この特定の文脈において本明細書で使用される「近接」という用語は、第１の足首包み込み端部３１０Ａの少なくとも一部が、第２の足首包み込み端部３１０Ｂの少なくとも一部の１インチ（２．５４ｃｍ）以内に位置していることを意味する）。追加的または代替的に、端部３１０Ａ／３１０Ｂの重なりまたは分離の程度は、着用者の脚の周囲、頂縁部２０６Ｅ（もしあれば）の弾性に対する伸縮の程度、および／または使用者の脚の周りの足挿入開口２０６の頂縁部２０６Ｅに対する、使用者の所望の締め付けの程度に少なくとも部分的に依拠してもよい。
【００４４】
次に、この例示的履物物品３００のアッパーの第２のアッパー構成要素３０２Ｂ（例えば、「内部」アッパー構成要素）をより詳細に説明する。図３Ａおよび図３Ｃ〜図３Ｅに示すように、この図示した例では、第２のアッパー構成要素３０２Ｂは、着用者の足を受け入れるための内部チャンバ３０８を少なくとも部分的に画定するブーティを構成する。第２のアッパー構成要素３０２Ｂは、内部チャンバ３０８を完全にまたは部分的に画定してもよく、それは第１のアッパー構成要素３０２Ａ（外部アッパー構成要素を構成してもよい）内に完全にまたは部分的に収容されてもよい／その内部に受け入れられてもよい。内部チャンバ３０８へのアクセスは、第２のアッパー構成要素３０２Ｂによって画定された足挿入開口３０６によって提供される。図３Ｂによって示めされるように、第２のアッパー構成要素３０２Ｂは、第１のアッパー構成要素３０２Ａ、足挿入開口２０６、および／または閉鎖システム２３０が閉鎖状態にあるときに完全に隠されてもよい。しかし、所望であれば、第１のアッパー構成要素３０２Ａ、足挿入開口２０６、および／または閉鎖システム２３０が閉鎖状態にあるときに、第２のアッパー構成要素３０２Ｂの或る部分が目に見え、かつ／または露出し得る。
【００４５】
この図示した例示的履物３００の構造体は、第２のアッパー構成要素３０２Ｂを着用者の足に締め付けかつ固定するための追加の構造体を含む。この具体的に図示した例では、図３Ｄ〜図３Ｅに示すように（そして図２Ａ〜図２Ｄの例にも含まれ得る）、履物品３００は、第１のアッパー構成要素３０２Ａと第２のアッパー構成要素３０２Ｂとの間で、そして第１のアッパー構成要素３０２Ａの中央足の甲収容部分２２０ＩＣを横断して（かつその下で）延在する第１のストラップセクション３２０Ａを含む。この例示的ストラップセクション３２０Ａは、アッパー全体の外側前足部および／または外側足の甲収容部分２２０ＩＬからアッパー全体の内側足首収容部分２１０ＡＭまで延在する。履物品３００は、第１のアッパー構成要素３０２Ａと第２のアッパー構成要素３０２Ｂとの間、ならびに第１のアッパー構成要素３０２Ａの中央足の甲収容部分２２０ＩＣを横断して（かつその下で）延在する第２のストラップセクション３２０Ｂをさらに含む。この例示的ストラップセクション３２０Ｂは、アッパー全体の内側前足部および／または内側足の甲収容部分２２０ＩＭからアッパー全体の外側足首収容部分２１０ＡＬまで延在する。図３Ｅに最もよく示すように、この図示した例では、第１のストラップセクション３２０Ａは、内部アッパー構成要素３０２Ｂ（例えば、足受けブーティ）の足受け開口３０６の前方の位置において第２のストラップセクション３２０Ｂと交差する。ストラップセクション３２０Ａ／３２０Ｂの前方端部は、履物品３００の内側および／もしくは外側前足部領域（複数可）において、かつ／または内側および／もしくは外側中足部領域において、（例えば、縫着、接着剤、機械的コネクタ（複数可）などのうち１つまたは複数により）履物３００のアッパーおよび／またはソール構造体２０４と永久的または解放可能に係合してもよい。
【００４６】
図３Ａ〜図４Ｇを参照すれば、第１のストラップセクション３２０Ａは、第１のアッパー構成要素３０２Ａの内方および第２のアッパー構成要素３０２Ｂの外方において内側足首収容部分２１０ＡＭに沿って延在し、第１のアッパー構成要素３０２Ａの後部踵領域において（図４Ｄ、図４Ｆ、および図４Ｇに示すように、例えば後部踵領域に提供された開口３０４Ｍ、例えば踵支持部２５０を通る開口３０４Ｍを通って）、この中間位置から第１のアッパー構成要素３０２Ａの外方の領域に抜け出る。同様に、第２のストラップセクション３２０Ｂは、第１のアッパー構成要素３０２Ａの内方および第２のアッパー構成要素３０２Ｂの外方において外側足首収容部分２１０ＡＬに沿って延在し、第１のアッパー構成要素３０２Ａの後部踵領域において（図４Ｄ、図４Ｆ、および図４Ｇに示すように、例えば後部踵領域に提供された開口３０４Ｌ、例えば踵支持部２５０を通る開口３０４Ｌを通って）、この中間位置から第１のアッパー構成要素３０２Ａの外方の領域に抜け出る。第２のストラップセクション３２０Ｂは、第１のストラップセクション３２０Ａと同一の、アッパー構成要素３０２Ａおよび／または踵支持部２５０中の開口を通って、または別個の独立した開口（例えば、図４Ｄ、図４Ｆ、および図４Ｇに示しかつ上述した開口３０４Ｍおよび３０４Ｌは、両方のストラップセクション３２０Ａおよび３２０Ｂが延在する単一の開口であってもよい）を通って、第１のアッパー構成要素３０２Ａと第２のアッパー構成要素３０２Ｂとの間のその中間位置から、第１のアッパー構成要素３０２Ａの外方に延在してもよい。
【００４７】
この図示した例（および図２Ａ〜図２Ｄの例）では、第１のアッパー構成要素３０２Ａの後部踵領域は、ストラップセクション３２０Ａ／３２０Ｂの一方または両方と係合するためのロック３３０を含む。ロック３３０は、履物品の第１のアッパー構成要素３０２Ａ、第２のアッパー構成要素３０２Ｂ、第１のストラップセクション３２０Ａ、第２のストラップセクション３２０Ｂ、および／またはソール構造体２０４のうち少なくとも１つと係合してもよい。このロック３３０は、第１のストラップセクション３２０Ａおよび第２のストラップセクション３２０Ｂのうち少なくとも１つを着用者の足の周りに、例えば締め付け状態で、解放可能に保持する。図示した例では、ロック３３０は、第１のストラップセクション３２０Ａおよび第２のストラップセクション３２０Ｂの両方と係合する。この例のストラップセクション３２０Ａ／３２０Ｂは、プルタブ３２２によってそれらの自由端部で一緒に結合される。プルタブ３２２は、ストラップセクション３２０Ａ／３２０Ｂの自由端部が係合する（例えば、縫合、接着剤、機械的コネクタなどによって）別個の部品から形成され得、かつ／または、プルタブ３２２は、別個の部品なしで（例えば、ストラップセクションの自由端部を一緒に係合させる縫合、接着剤、機械的コネクタなどにより）ストラップセクション３２０Ａ／３２０Ｂの自由端部を固定することによって形成され得る。
【００４８】
図４Ｂと図４Ｃの比較によって示すように、第１のストラップセクション３２０Ａおよび第２のストラップセクション３２０Ｂは、プルタブ３２２を外方に引っ張ることにより、着用者の足の周りに締め付けられ得る。この作用は、図４Ｂの矢印３２４によって示され、この作用はアッパーの内部（例えば、第１のアッパー構成要素３０２Ａと第２のアッパー構成要素３０２Ｂとの間の容積）における第１のストラップセクション３２０Ａおよび第２のストラップセクション３２０Ｂの両方の長さを短くし、それによって着用者の足の周りのストラップセクション３２０Ａ／３２０Ｂを締め付ける。この作用はまた、図４Ｂに示す配置が、図４Ｃに示す配置に変化することにより、順番に示される。使用者の所望の締め付けの程度になったら、ストラップセクション（複数可）３２０Ａ／３２０Ｂを（例えば、図４Ｃに示すように）ロック３３０に関して固定位置に保持するために、ロック３３０を活性化することができる（その例は以下でより詳細に説明される）。ストラップセクション３２０Ａ／３２０Ｂは、第１のアッパー構成要素３０２Ａが着用者の足の周りに固定される前またはその後に締め付けられ得る。第１のアッパー構成要素３０２Ａは、例えば、（ａ）第２の端部２３０Ｂから第１の端部２３０Ａまでトラック２３０Ｔに沿ってスライダー２３０Ｓをスライドさせるか、そうでなければ、閉鎖システム２３０を閉鎖することによって、かつ／または（ｂ）ファスナ要素２４０Ｅを協働ファスナ要素２４０Ｓと係合させるか、そうでなければファスナを固定して、着用者の足首／脚の周りに足首ストラップ２４０を固定することによって、着用者の足の周りに固定されてもよい。
【００４９】
図３Ｃ〜図３Ｅに示すように、この図示した例示的履物品３００では、第１のストラップセクション３２０Ａおよび第２のストラップセクション３２０Ｂは、追加の構成要素、例えば追加のストラップセクション３２０Ｃと係合し、この追加の構成要素は、着用者の足の周りで第１のストラップセクション３２０Ａおよび／または第２のストラップセクション３２０Ｂを締め付け状態から緩めるために使用される。より具体的には、この例では、ルースニング構成要素（ｌｏｏｓｅｎｉｎｇ  ｃｏｍｐｏｎｅｎｔ）（例えば、ストラップセクション３２０Ｃ）はループを形成し、第１のストラップセクション３２０Ａおよび第２のストラップセクション３２０Ｂはこのループを通過する。ルースニング構成要素（例えば、ストラップセクション３２０Ｃ）のループは、例えば図３Ｅに示すように、アッパー全体の中央足の甲カバー部分に（例えば、第１のアッパー構成要素３０２Ａと第２のアッパー構成要素３０２Ｂとの間に）、そして／または第２のアッパー構成要素３０２Ｂの足挿入開口３０６の前方に位置する。ルースニング構成要素は、ストラップ部分を構成する必要はない。他の例として、これは、使用者がストラップ部分３２０Ａおよび／または３２０Ｂのうち１つまたは複数を着用者の足から上方に、かつ／または着用者の脚／足首から離れるように前方に引っ張ってそれらを締め付け状態から緩めることを可能にするプルタブ、リング、ハードウェア要素、または他の任意のタイプの構造体を構成してもよい。
【００５０】
次に、履物３００の取り出しプロセスを、例えば図２Ａ〜図２Ｄに示すような固定された靴から開始する図３Ａ〜図３Ｅを参照してより詳細に説明する。最初に、足首ストラップ２４０は、例えば足首ストラップファスナを係合解除することにより（例えば、足首ストラップファスナ要素２４０Ｅをアッパーベースファスナ構成要素２４０Ｓから係合解除することにより）緩められる。次に、第１のアッパー構成要素３０２Ａの足挿入開口２０６は、第１のアッパー構成要素３０２Ａの足首収容フラップ２１０を着用者の脚の周りからほどくことによって開放される。履物品３００がそのように装備されている場合、この動作は、スライダー２３０Ｓをトラック２３０Ｔに沿って第１の端部２３０Ａから第２の端部２３０Ｂに動かす（そうでなければ、足受け開口２０６のためにいかなる現状タイプの閉鎖システムを係合解除する）ことを必要とする場合がある。次いで、ロック３３０はロック解除されてもよく、次いで、着用者は、例えば、図３Ｃ〜図３Ｅの矢印３２６によって示されるように、ルースニング構成要素（例えば、ストラップセクション３２０Ｃ）を前方に引っ張ってもよい。ルースニング構成要素（ストラップセクション３２０Ｃ）を前方に引っ張ることにより、これはまた、（図４Ｃの矢印３２８で示されるように、そして図４Ｃに示す配置が図４Ｂに示す配置に変化することにより、順番に示されているように）ストラップセクション３２０Ａおよび３２０Ｂを前方に引っ張り、後部踵領域において露出したストラップセクション３２０Ａ／３２０Ｂを内方に引っ張る。第１のストラップセクション３２０Ａおよび第２のストラップセクション３２０Ｂが適切に緩められると、着用者の足は、内部チャンバ３０８から足挿入開口３０６および足挿入開口２０６を通って取り出されてもよい。別個のルースニング構成要素（例えば、ストラップセクション３２０Ｃ）は省略されてもよく、ストラップセクション（複数可）３２０Ａおよび／または３２０Ｂは、それらをアッパー内に引き戻すことによって緩められ得る。上記のステップはまた、異なる順序で行われてもよく、かつ／またはいくつかのステップは同時に起こってもよい。
【００５１】
任意のタイプのロック３３０の構造体が、本発明から逸脱することなく提供されてもよい。この具体的に図示した例では、ロック３３０は、それを貫通して画定された１つまたは複数の開口を含み、かつそれを貫通してストラップセクション３２０Ａおよび３２０Ｂが延在する（例えば、アッパー構成要素３０２Ａ／踵支持部２５０において開口３０４Ｌおよび３０４Ｍと整列するか、またはその一部として含まれる）ベース３３０Ｂを含む。ばね式ロック３３０Ｌは、ばね式ロック３３０Ｌがベース３３０Ｂに関して内方および外方にスライドできるようなやり方でベース３３０Ｂと係合してもよい。図４Ｆに示すように、ばね式ロック３３０Ｌのばね３３０Ｓが「弛緩した」または「伸長」状態にあるときに、第１のストラップセクション３２０Ａおよび／または第２のストラップセクション３２０Ｂのうち少なくとも１つは、２つ（またはそれ以上）の支え表面４０４間で「挟まれて」、ロック３３０の少なくとも或る部分（例えばロックベース３３０Ｂ）に関してストラップセクション（複数可）３２０Ａ／３２０Ｂを所定の位置に保持し、ストラップセクション（複数可）３２０Ａ／３２０Ｂを締め付け状態で保持する。この特定の例の「弛緩」または「伸張」状態では、開口（複数可）３０４Ｌおよび／または３０４Ｍの少なくとも或る部分は「閉鎖」されて、ストラップセクション３２０Ａ／３２０Ｂをロック３３０Ｌの支え表面４０４とベース３３０の間に挟み、（ｂ）ロックベース３３０Ｂ、アッパー構成要素３０２Ａ、アッパー構成要素３０２Ｂ、および／または踵支持部２５０に対する（ａ）ストラップセクション（複数可）３２０Ａ／３２０Ｂの相対移動を防止する。図示した例示的ロック３３０の構造体において、ばね３３０Ｓは、ロック３３０Ｌを図４Ｆの「弛緩した」またはロックされた構成へと付勢する。
【００５２】
一方、図４Ｄ、図４Ｅおよび図４Ｇに示すように、ばね式ロック３３０Ｌのばね３３０Ｓが、「圧縮」状態にあるとき（例えば矢印４０２で示すように、使用者がロック３３０Ｌの対向端部をばね３３０Ｓの付勢力に打ち勝つのに十分な力で内方に押すとき）、第１のストラップセクション３２０Ａおよび／または第２のストラップセクション３２０Ｂのうち少なくとも１つは、２つの支え表面４０４間にもはや挟まれない。この「圧縮された」ロック３３０の状態は、開口３０４Ｌ／３０４Ｍのうち少なくとも１つを開放し、ストラップセクション（複数可）３２０Ａ／３２０Ｂがロック３３０の少なくとも一部（例えば、ロックベース３３０Ｂ）に関して移動することを可能にする。この圧縮ロック３３０の状態はまた、使用者が望むように、ストラップセクション（複数可）３２０Ａ／３２０Ｂを締めたり、または緩めたりすることを可能にする。「圧縮」状態では、開口（複数可）３０４Ｌおよび／または３０４Ｍの少なくとも一部が「開放」して、ロックベース３３０Ｂ、アッパー構成要素３０２Ａ、アッパー構成要素３０２Ｂ、および／または踵支持部２５０に関してストラップセクション（複数可）３２０Ａ／３２０Ｂの容易かつ相対的な移動を可能にする。
【００５３】
ストラップセクション（複数可）、ロック３３０の構造体、および／または異なるタイプのロック構造体およびロック機構における多くの変形例が、本発明から逸脱することなく提供されてもよい。一例として、２つのストラップセクション３２０Ａおよび３２０Ｂは、単一の連続ストラップの部分を構成してもよい。追加的または代替的に、ストラップセクション３２０Ａまたは３２０Ｂのうち１つのみが（ストラップセクション３２０Ａ／３２０Ｂが、１つのストラップまたは２つの別個のストラップの一部を構成しているかどうかに関係なく）ロックと係合する可能性があり、他のストラップセクションは（例えば、１つのストラップセクションのみが締め付けられるかまたは緩められるように、（２つのストラップセクションが単一の連続ストラップの一部である場合）両方のストラップセクションを締め付けるかまたは緩めるためにロックで１つのストラップセクションの締め付けまたは緩めを可能にするように、など）履物アッパーに関して固定され得る。それぞれのストラップセクション３２０Ａ、３２０Ｂに別個のロックが提供されてもよい。別の例として、１つまたは複数のロックは、アッパーおよび／またはソール構造体の外側踵および／または外側足首側部、アッパーおよび／またはソール構造体の内側踵および／または内側足首側部、アッパーの頂部足の甲収容領域２２０ＩＣなどのうち１つまたは複数のような、履物３００の構造体上の他の位置に提供されてもよい。
【００５４】
他のタイプのロックは、例えば、１つまたは複数のストラップセクション３２０Ａ／３２０Ｂと（例えば、回転式に）係合するラチェット式巻取りリール；１つまたは複数のクランプ（例えば、ストラップセクション（複数可）が開口（複数可）３０４Ｌ／３０４Ｍを通って内方へ移動するのを防止する）；１つまたは複数のクリップ（例えば、ストラップセクション（複数可）が開口（複数可）３０４Ｌ／３０４Ｍを通って内方へ移動するのを防止する）；１つまたは複数のバックル；１つまたは複数のボタン；１つまたは複数のスナップ；１つまたは複数のリテーニング要素などのうち１つまたは複数を含んでもよい。
【００５５】
足挿入開口２０６およびトラック２３０Ｔが、足の甲収容部分（例えば２２０ＩＭ）の第２の側部から足の甲収容部分（例えば２２０ＩＬ）の第１の側部までアッパー２０２の中央足の甲収容部分２２０ＩＣを横断して（例えば、アッパーの前足部分においてアッパーの中央縦方向軸を横断して）延在すると上述されかつ図２Ａ〜図３Ｅに示されているが、これらの特徴は、本発明のすべての実施形態において必要とされるわけではない。むしろ、本発明のいくつかの実施形態では、図３Ｃの矢印２３０Ｂ（ＡＬＴ）によって図示するように、アッパー２０２の足挿入開口２０６および／またはトラック２３０Ｔは、（ｉ）アッパー２０２の足首収容部分（例えば２１０ＡＬ）の第１の側部から、（ｉｉ）アッパー２０２の後部踵または足首領域（例えば２１０ＡＲ）の周りで、（ｉｉｉ）アッパー２０２の足首収容部分（例えば２１０ＡＭ）の第２の側部に沿って、そして（ｉｖ）アッパー２０２の足の甲収容部分まで延在してもよい。本発明のこの態様による少なくともいくつかの実施形態では、足挿入開口２０６の端部および／またはトラック２３０Ｔの閉鎖端部２３０Ｂは、アッパー２０２の前足部分におけるアッパー２０２の中央縦方向軸（図３Ｃの縦方向軸（Ｌｏｎｇ．Ａｘｉｓ））にまたはその手前の位置にあるアッパーの前足部分に（例えば、そしてアッパー２０２の前足部分においてアッパー２０２の中央縦方向軸（Ｌｏｎｇ．Ａｘｉｓ）を横断せずに）位置してもよい。
【００５６】
図５Ａおよび図５Ｂは、履物品５００、第１のアッパー構成要素５０２（外部アッパー構成要素に嵌合するか、またはその内部に少なくとも部分的に収容される、内部アッパー構成要素を構成してもよい）、ならびに／または本発明の少なくともいくつかの例によるストラップ部分５２０Ａ／５２０Ｂの別の例および／もしくは追加の詳細を図示する。他の図面で使用されているものと同じ参照番号が図５Ａおよび図５Ｂに使用されている場合、その参照番号は、上記の様々な代替物、特徴、および／または変形のいずれを含む、上記のものと同一または同様の部品（複数可）を指す。ストラップ部分５２０Ａおよび５２０Ｂ、第１のアッパー構成要素５０２、および／または図５Ａおよび図５Ｂと併せて詳細に後述されるようなこれらの部品の相対的な配置はまた、図２Ａ〜図４Ｇと併せて上述された本発明の様々な実施形態において使用され得る。
【００５７】
この例示的履物５００の構造体は、少なくとも第１のアッパー構成要素５０２と、第２のアッパー構成要素５５０と、第１のアッパー構成要素５０２および／または第２のアッパー構成要素５５０のうち少なくとも１つと係合するソール構造体５０４と、を含む。この例示的履物構造体５００において、第１のアッパー構成要素５０２は、第２のアッパー構成要素５５０に少なくとも部分的に収容される。代替の実施形態では、第１のアッパー構成要素５０２は、第２のアッパー構成要素５５０に完全に収容される。この図示した例では、ストラップ部分５２０Ａおよび５２０Ｂは、それらの自由端部で、例えばストラップセクション３２０Ａ／３２０Ｂについて上述した任意の方式で、例えばプルタブ３２２によって、係合する別個のストラップとして提供される。第１のストラップセクション５２０Ａは、履物品５００の内側部から（例えば、履物品５００の内側中足部または内側前足部領域から）、履物品５００の足の甲領域を横断して、第２のアッパー構成要素５５０の内方で、そして第２のアッパー構成要素５５０と第１のアッパー構成要素５０２との間で、第２のアッパー構成要素５５０の外側踵側部領域の開口を通って（第２のアッパー構成要素５５０の外方へ）、第２のアッパー構成要素５５０の外側踵側部領域の外方に沿って、ロック３３０およびプルタブ３２２まで延在する。第１のストラップ部分５２０Ａは、内側中足部および／または内側前足部領域において、例えば第１のアッパー構成要素５０２、ソール構造体５０４、および第１のストラップ部分５２０Ａが出会う位置において、（例えば縫着、接着剤、機械的コネクタ（複数可）などによって）、第１のアッパー構成要素５０２および／またはソール構造体５０４（および／または別の履物構成要素）に固定され得る。
【００５８】
同様に、第１のストラップセクション５２０Ｂは、履物品５００の外側部から（例えば、履物品５００の外側中足部または外側前足部領域から）、履物品５００の足の甲領域を横断して、第２のアッパー構成要素５５０の内方で、そして第２のアッパー構成要素５５０と第１のアッパー構成要素５０２との間で、第２のアッパー構成要素５５０の内側踵側部領域の開口５０４Ｍを通って（第２のアッパー構成要素５５０の外方へ）、第２のアッパー構成要素５５０の内側踵側部領域の外方に沿って、ロック３３０およびプルタブ３２２まで延在する。第２のストラップ部分５２０Ｂは、外側中足部および／または外側前足部領域において、例えば第１のアッパー構成要素５０２、ソール構造体５０４、および第２のストラップ部分５２０Ｂが出会う位置において、（例えば縫着、接着剤、機械的コネクタ（複数可）などによって）、第１のアッパー構成要素５０２および／またはソール構造体５０４（および／または別の履物構成要素）に固定され得る。第２のアッパー構成要素５５０の外側部は、図５Ａの内側部上に示されている開口５０４Ｍのような開口を有してもよく、第１のストラップ部分５２０Ａは、上述のように、この外側部の開口を通って第２のアッパー構成要素５５０の外方まで延在してもよい。２つのストラップ部分５２０Ａ／５２０Ｂは、履物物品５００の足の甲領域において、例えばアッパー構成要素５０２の任意の足受け開口５０２Ｏの前方でおよび／または上方で互いに交差する。
【００５９】
第１のアッパー構成要素５０２および／または第２のアッパー構成要素５５０は、別のアッパー構成要素（図５Ａには示されていないが、潜在的にアッパー構成要素３０２Ａと類似のもの）の内方に少なくとも部分的に位置してもよく、ロック３３０はその追加のアッパー構成要素と係合してもよい。追加的または代替的に、ロック３３０は、第２のアッパー構成要素５５０および／または第１のアッパー構成要素５０２と係合してもよい。いくつかの例では、第２のアッパー構成要素５５０は、踵支持部構成要素（例えば、踵支持部２５０および／または踵カウンターと類似のもの）を構成してもよく、かつ／または履物品５００の外部構成要素（例えば、踵カウンターと類似のもの）であってもよい。代替的に、第１のアッパー構成要素５０２は、その中に少なくとも部分的に（または完全にさえ）収容される別のアッパー構成要素を有してもよい。
【００６０】
図５Ｂは、本発明の少なくともいくつかの例で提供されてもよいストラップセクション５２０Ａ、５２０Ｂのいくつかの追加の詳細を図示する。示されているように、この例のストラップセクション５２０Ａ、５２０Ｂは、より幅広の前足部および／または足の甲セクション５２２（例えば、幅Ｗ１を有する）と、テーパセクション５２４と、より狭い中足部および／または踵／足首セクション５２６（例えば、幅Ｗ２を有する）と、を含む。テーパセクション５２４は、Ｗ１〜Ｗ２の幅までテーパしてもよい。より幅広の前足部および／または足の甲セクション５２２は縦方向の長さＬ１を有し、テーパセクション５２４は縦方向の長さＬ２を有し、より狭い中足部および／または踵／足首セクション５２６は縦方向の長さＬ３を有する。ストラップセクション５２０Ａ、５２０Ｂは、以下の寸法的特徴のうち任意の１つまたは複数を有してもよい：
Ｗ１＝１．２×Ｗ２〜３×Ｗ２
Ｗ１＝２０ｍｍ〜５０ｍｍ、そしていくつかの例では３０ｍｍ
Ｗ２＝１０ｍｍ〜２５ｍｍ、そしていくつかの例では１５ｍｍ
Ｌ１＝０．５×Ｌ３〜１．５×Ｌ３
Ｌ１＝０．６５×Ｌ３〜０．９×Ｌ３
Ｌ１＝２×Ｌ２〜６×Ｌ２
Ｌ１＝３×Ｌ２〜５×Ｌ２
Ｌ３＝３×Ｌ２〜８×Ｌ２
Ｌ３＝４×Ｌ２〜６×Ｌ２
Ｌ１＋Ｌ２＋Ｌ３＝１０×Ｗ１〜１６×Ｗ１
Ｌ１＋Ｌ２＋Ｌ３＝２０×Ｗ２〜３２×Ｗ２
Ｌ１＝７５ｍｍ〜２５０ｍｍ、いくつかの例では１５０ｍｍ
Ｌ２＝０ｍｍ〜１００ｍｍ、いくつかの例では４０ｍｍ
Ｌ３＝７５ｍｍ〜３００ｍｍ、いくつかの例では２００ｍｍ
【００６１】
（中足部および／または踵／足首セクション５２６と比較して）ストラップ部分５２０Ａおよび／または５２０Ｂのより幅広の前足部および／または足の甲セクション５２２（例えば、幅Ｗ１を有する）は、ストラップ部分（複数可）５２０Ａ、５２０Ｂが締め付けられるときに、着用者の足に力が加えられることによって着用者の足上のストラップ部分５２０Ａ／５２０Ｂの快適性を改善し、着用者の足のより大きな部分に直接係合する、より幅広の領域を提供してもよい。より狭い中足部および／または踵／足首セクション５２６は、ロック３３０と、それに関連するハードウェアのサイズとを低減させ得、それにより、その重量および／または嵩高さ（ｂｕｌｋｉｎｅｓｓ）を低減させ、ストラップ部分５２０Ａ／５２０Ｂを扱いやすくする。ストラップ部分５２０Ａおよび５２０Ｂは、単一の履物５００の構造体において、同じまたは異なるＬ１、Ｌ２、Ｌ３、Ｗ１、および／またはＷ２の寸法特性を有してもよい。
【００６２】
代替的に、ストラップセクション５２０Ａおよび／または５２０Ｂのいずれかまたは両方は、それらの縦方向の長さ全体にわたって一定の幅を有してもよく；かつ／またはストラップセクション５２０Ａおよび／または５２０Ｂのいずれかまたは両方は、それらの縦方向の長さ全体にわたって連続的にテーパした幅を有してもよく；かつ／またはストラップセクション５２０Ａおよび／または５２０Ｂのいずれかまたは両方は、それらの縦方向の長さにわたって１つまたは複数の階段状の幅変化、そうでなければ異なる幅変化を有してもよい。
【００６３】
ＩＩＩ．結論
本発明は、様々な実施形態および／または特徴を参照して、上記および添付の図面に開示されている。しかし、本開示によって果たされる目的は、本発明の範囲を限定することではなく、本発明に関連する様々な特徴および概念の例を提供することである。当業者は、添付の特許請求の範囲によって定義されるように、本発明の範囲から逸脱することなく、上述の本発明の特徴に対して数多くの変形および修正を加え得ることを認識するであろう。
【００６４】
疑問を避けるために、本出願は、少なくとも次の番号付きの条項に記載されている主題を含む。
【００６５】
条項１．１つまたは複数のアッパー部品から形成されたアッパーであって、少なくとも１つのアッパー部品は、アッパーの足首収容部分を画定し、少なくとも１つのアッパー部品は、アッパーの足の甲収容部分を画定するアッパーと、
アッパーと係合する閉鎖システムと、
を含み、
閉鎖システムは、
（ａ）足首収容部分の第１の側部に位置している第１の端部からアッパーの足の甲収容部分に位置している（例えば、足の甲収容部分の第１の側部に位置している、足の甲収容部分の第２の側部に位置している、履物品の外側部に位置している、履物品の内側部に位置している、アッパーの前足部分におけるアッパーの中央縦方向軸またはその両側に位置している、など）第２の端部まで延在するトラックであって、トラックは、足首収容部分の後部足首領域の周りで、足首収容部分の第２の側部に沿って、そしてアッパーの足の甲収容部分まで（例えば、いくつかの実施形態では、足の甲収容部分の第１の側部と足の甲収容部分の第２の側部との間に位置している足の甲収容部分の中央部分にわたって、いくつかの実施形態では、アッパーの前足部分においてアッパーの中央縦方向軸を横断して、またはいくつかの実施形態では、アッパーの前足部分においてアッパーの中央縦方向軸における位置またはその手前まで）延在する、トラック、および
（ｂ）トラックと係合するスライダーであって、スライダーは、閉鎖システムを開放状態と閉鎖状態との間で切り替えるようにトラックに沿って移動可能である、スライダー
を備える、履物品。
【００６６】
条項２．スライダーと係合する足首ストラップと、
閉鎖システムが閉鎖状態にあるときに、足首収容部分の第２の側部において足首ストラップをアッパーと解放可能に固定するファスナと、
をさらに備える、条項１に記載の履物品。
【００６７】
条項３．閉鎖システムが閉鎖状態にあるときに、足首ストラップは、足首収容部分の第１の側部から足首収容部分の第２の側部まで延在する、条項２に記載の履物品。
【００６８】
条項４．足首収容部分の第２の側部におけるトラックの少なくとも或る部分は、ファスナの少なくとも或る部分から１インチ（２．５４ｃｍ）未満の距離に位置する、条項２または３に記載の履物品。
【００６９】
条項５．ファスナの少なくとも或る部分は、トラックとアッパーの足挿入開口の頂部との間に位置する、条項２〜４のいずれか一項に記載の履物品。
【００７０】
条項６．足首ストラップは、足の甲収容部分を横断して延在する、条項２〜５のいずれか一項に記載の履物品。
【００７１】
条項７．履物品が水平支持表面上に向き付けされている場合、トラックの最後部の足首部分は、アッパーの頂縁部の少なくとも或る部分から（例えば、アッパーの最後部の頂点および／または最後部の頂縁部から、アッパーの最後部の踵位置におけるアッパーの足挿入開口の頂点および／または頂縁部から、など）１．５インチ（３．８１ｃｍ）未満の距離に位置する、条項１〜６のいずれか一項に記載の履物品。
【００７２】
条項８．トラックの第１の端部は、アッパーの足挿入開口の頂部から１．５インチ（３．８１ｃｍ）未満の距離に位置する、条項１〜７のいずれか一項に記載の履物品。
【００７３】
条項９．足首収容部分の第２の側部におけるトラックの一部分は、アッパーの足挿入開口の頂部から１．７５インチ（４．４５ｃｍ）未満の距離に位置する、条項１〜８のいずれか一項に記載の履物品。
【００７４】
条項１０．トラックは、アッパーの足挿入開口の前方の位置においてアッパーの中央縦方向軸を横断して延在する、条項１〜９のいずれか一項に記載の履物品。
【００７５】
条項１１．トラックはジッパートラックを含み、スライダーはジッパースライダーを含む、条項１〜１０のいずれか一項に記載の履物品。
【００７６】
条項１２．アッパーは外部構成要素および内部構成要素を含み、閉鎖システムは外部構成要素と係合し、内部構成要素は足受けブーティを含む、条項１〜１１のいずれか一項に記載の履物品。
【００７７】
条項１３．内部構成要素は、足受けブーティと係合する少なくとも１つのストラップをさらに含み、履物品は、少なくとも１つのストラップを締め付け状態で解放可能に固定するように適合された固定システムをさらに含む、条項１２に記載の履物品。
【００７８】
条項１４．内部構成要素は、（ａ）足受けブーティの踵収容領域の第１の側部から足受けブーティの足受け開口の前方の足受けブーティの第２の側部まで延在する第１のストラップセクションと、（ｂ）足受けブーティの踵収容領域の第２の側部から足受けブーティの足受け開口の前方の足受けブーティの第１の側部まで延在する第２のストラップセクションと、を含む、条項１２に記載の履物品。
【００７９】
条項１５．第１のストラップセクションは、足受けブーティの足受け開口の前方で第２のストラップセクションと交差する、条項１４に記載の履物品。
【００８０】
条項１６．第１のストラップセクションは、アッパーの外部構成要素の内方の位置において足受けブーティの踵収容領域の第１の側部に沿って延在し、第２のストラップセクションは、アッパーの外部構成要素の内方の位置において足受けブーティの踵収容領域の第２の側部に沿って延在し、第１のストラップセクションは、アッパーの第１の後部踵領域においてアッパーの外部構成要素の外方に延在し、第２のストラップセクションは、アッパーの第１の後部踵領域において、またはアッパーの第２の後部踵領域において、アッパーの外部構成要素の外方に延在する、条項１４または１５に記載の履物品。
【００８１】
条項１７．アッパーの外部構成要素の後部踵領域に位置しているロックをさらに備え、第１のストラップセクションおよび第２のストラップセクションは、ロックに係合し、第１のストラップセクションまたは第２のストラップセクションが締め付け状態にあるときに、ロックによって解放可能に保持される、条項１６に記載の履物品。
【００８２】
条項１８．アッパーと係合する少なくとも１つのストラップと、
履物品のアッパーまたはソール構造体のうち少なくとも一方と係合し、少なくとも１つのストラップを締め付け状態で解放可能に保持するロックと、
をさらに備える、条項１〜１１のいずれか一項に記載の履物品。
【００８３】
条項１９．アッパーの重なり合う層の間で、第１のストラップセクションの長さの少なくとも一部分にわたって延在する第１のストラップセクションと、
アッパーの重なり合う層の間で、第２のストラップセクションの長さの少なくとも一部分にわたって延在する第２のストラップセクションと、
第１のストラップセクションまたは第２のストラップセクションのうち少なくとも１つと係合し、第１のストラップセクションまたは第２のストラップセクションのうち少なくとも１つを締め付け状態で解放可能に保持するロックと、
をさらに備える、条項１〜１１のいずれか一項に記載の履物品。
【００８４】
条項２０．アッパーの踵収容領域の第１の側部からアッパーの足の甲収容部分の第２の側部まで延在する第１のストラップセクションと、
アッパーの踵収容領域の第２の側部からアッパーの足の甲収容部分の第１の側部まで延在する第２のストラップセクションと、
第１のストラップセクションまたは第２のストラップセクションのうち少なくとも１つと係合し、第１のストラップセクションまたは第２のストラップセクションのうち少なくとも１つを締め付け状態で解放可能に保持するロックと、
をさらに備える、条項１〜１１のいずれか一項に記載の履物品。
【００８５】
条項２１．アッパーの重なり合う層の間で、第１のストラップセクションの長さの少なくとも一部分にわたって延在する第１のストラップセクションであって、第１のストラップセクションは、アッパーの踵収容領域の第１の側部からアッパーの足の甲収容部分の第２の側部まで延在する、第１のストラップセクションと、
アッパーの重なり合う層の間で、第２のストラップセクションの長さの少なくとも一部分にわたって延在する第２のストラップセクションであって、第２のストラップセクションは、アッパーの踵収容領域の第２の側部からアッパーの足の甲収容部分の第１の側部まで延在する、第２のストラップセクションと、
第１のストラップセクションまたは第２のストラップセクションのうち少なくとも１つと係合し、第１のストラップセクションまたは第２のストラップセクションのうち少なくとも１つを締め付け状態で解放可能に保持するロックと、
をさらに備える、条項１〜１１のいずれか一項に記載の履物品。
【００８６】
条項２２．第１のストラップセクションは、アッパーの足受け開口の前方で第２のストラップセクションと交差する、条項１９〜２１のいずれか一項に記載の履物品。
【００８７】
条項２３．固定システムは、アッパーの後部踵領域に位置する、条項１８〜２２のいずれか一項に記載の履物品。
【００８８】
条項２４．足首収容部分の第１の側部、および足の甲収容部分の第１の側部は、アッパーの外側部上に位置する、条項１〜２３のいずれか一項に記載の履物品。
【００８９】
条項２５．第１のアッパー構成要素と、
第２のアッパー構成要素と、
第１のアッパー構成要素によって少なくとも部分的に画定される足挿入開口であって、足挿入開口は、（ａ）第１のアッパー構成要素の足首収容部分の第１の側部から、（ｂ）第１のアッパー構成要素の後部踵または足首領域の周りで、（ｃ）第１のアッパー構成要素の足首収容部分の第２の側部に沿って、そして（ｄ）第１のアッパー構成要素の足の甲収容部分まで、部分的または連続的に延在する（例えば、いくつかの実施形態では、（ｉ）足挿入開口は、第１のアッパー構成要素の足の甲収容部分を横断して、そして第１のアッパー構成要素の足の甲収容部分の第１の側部まで、（例えば、第１のアッパー構成要素の前足部分において第１のアッパー構成要素の中央縦方向軸を横断して）延在してもよく、（ｉｉ）足挿入開口は、第１のアッパー構成要素の前足部分において第１のアッパー構成要素の中央縦方向軸にまたはその手前にある第１のアッパー構成要素の前足部分内の位置まで（例えば、第１のアッパー構成要素の前足部分において第１のアッパー構成要素の中央縦方向軸を横断せずに）延在してもよい）、足挿入開口と、
第１のアッパー構成要素と第２のアッパー構成要素との間で、そして第１のアッパー構成要素の足の甲収容部分を横断して延在する第１のストラップセクションと、
第１のアッパー構成要素と第２のアッパー構成要素との間で、そして第１のアッパー構成要素の足の甲収容部分を横断して延在する第２のストラップセクションと、
第１のアッパー構成要素または第２のアッパー構成要素のうち少なくとも１つと係合するソール構造体と、
第１のアッパー構成要素、第２のアッパー構成要素、第１のストラップセクション、第２のストラップセクション、またはソール構造体のうち少なくとも１つと係合するロックであって、ロックは、第１のストラップセクションまたは第２のストラップセクションのうち少なくとも１つを締め付け状態で解放可能に保持する、ロックと、
を備える履物品。
【００９０】
条項２６．第１のアッパー構成要素と係合するトラックと、トラックと係合するスライダーと、をさらに備え、トラックに沿ったスライダーの移動は、足挿入開口を開放状態と閉鎖状態との間で切り替える、条項２５に記載の履物品。
【００９１】
条項２７．スライダーと係合する足首ストラップと、
足挿入開口が閉鎖状態にあるときに、足首ストラップを第１のアッパー構成要素または第２のアッパー構成要素のうち少なくとも１つと解放可能に固定するファスナと、
をさらに備える、条項２６に記載の履物品。
【００９２】
条項２８．足首ストラップは、履物品の中央縦方向軸を横断して延在する、条項２７に記載の履物品。
【００９３】
条項２９．ファスナの少なくとも一部分は、トラックと第１のアッパー構成要素または第２のアッパー構成要素のうち少なくとも１つの足首開口の最頂縁との間に位置する、条項２７または２８に記載の履物品。
【００９４】
条項３０．足首ストラップは、第１のアッパー構成要素の足の甲収容部分を横断して延在する、条項２７〜２９のいずれか一項に記載の履物品。
【００９５】
条項３１．第１のアッパー構成要素または第２のアッパー構成要素のうち少なくとも１つと係合する足首ストラップと、
足挿入開口が閉鎖状態にあるときに、足首ストラップを第１のアッパー構成要素または第２のアッパー構成要素のうち少なくとも１つと解放可能に固定するファスナと、
をさらに備える、条項２５に記載の履物品。
【００９６】
条項３２．足首ストラップは、履物品の中央縦方向軸を横断して延在する、条項３１に記載の履物品。
【００９７】
条項３３．足首ストラップは、第１のアッパー構成要素の足の甲収容部分を横断して延在する、条項３１または３２に記載の履物品。
【００９８】
条項３４．第１のアッパー構成要素は、外部アッパー構成要素を含み、第２のアッパー構成要素は、外部アッパー構成要素に少なくとも部分的に受け入れられる、条項２５〜３３のいずれか一項に記載の履物品。
【００９９】
条項３５．第２のアッパー構成要素は、足受けブーティを含む、条項３４に記載の履物品。
【０１００】
条項３６．第１のストラップセクションは、第２のアッパー構成要素の踵収容領域の第１の側部に沿って延在し、第２のストラップセクションは、第２のアッパー構成要素の踵収容領域の第２の側部に沿って延在する、条項３４に記載の履物品。
【０１０１】
条項３７．第１のストラップセクションは、第１のアッパー構成要素の第１の後部踵領域において第１のアッパー構成要素を通って延在し、第２のストラップセクションは、第１のアッパー構成要素の第１の後部踵領域において、または第１のアッパー構成要素の第２の後部踵領域おいて、第１のアッパー構成要素を通って延在する、条項３６に記載の履物品。
【０１０２】
条項３８．ロックは、第１のストラップセクションまたは第２のストラップセクションのうち少なくとも１つと係合し、ロックは、第１のアッパー構成要素または第２のアッパー構成要素のうち少なくとも１つの後部踵領域に位置する、条項２５〜３７のいずれか一項に記載の履物品。
【０１０３】
条項３９．１つまたは複数の部品で形成されたアッパーと、
アッパーに沿って、そしてアッパーの足の甲収容部分を横断して延在する第１のストラップセクションと、
アッパーに沿って、そしてアッパーの足の甲収容部分を横断して延在する第２のストラップセクションと、
アッパーと係合するソール構造体と、
アッパー、第１のストラップセクション、第２のストラップセクション、またはソール構造体のうち少なくとも１つと係合するロックであって、ロックは、第１のストラップセクションまたは第２のストラップセクションのうち少なくとも１つを締め付け状態で解放可能に保持する、ロックと、
を備える履物品。
【０１０４】
条項４０．アッパーによって少なくとも部分的に画定される足挿入開口をさらに備え、足挿入開口は、（ａ）アッパーの足首収容部分の第１の側部から、（ｂ）アッパーの後部踵または足首領域の周りで、（ｃ）アッパーの足首収容部分の第２の側部に沿って、そして（ｄ）アッパーの足の甲収容部分まで延在する（例えば、いくつかの実施形態では、（ｉ）足挿入開口は、アッパーの足の甲収容部分を横断して、そしてアッパーの足の甲収容部分の第１の側部まで、（例えば、アッパーの前足部分においてアッパーの中央縦方向軸を横断して）延在してもよく、または（ｉｉ）足挿入開口は、アッパーの前足部分においてアッパーの中央縦方向軸にまたはその手前にあるアッパーの前足部分内の位置まで（例えば、アッパーの前足部分においてアッパーの中央縦方向軸を横断せずに）延在してもよい）、条項３９に記載の履物品。
【０１０５】
条項４１．アッパーと係合するトラックと、トラックと係合するスライダーと、をさらに備え、トラックに沿ったスライダーの移動は、足挿入開口を開放状態と閉鎖状態との間で切り替える、条項３９または４０に記載の履物品。
【０１０６】
条項４２．スライダーと係合する足首ストラップと、
足挿入開口が閉鎖状態にあるときに、足首ストラップをアッパーと解放可能に固定するファスナと、
をさらに備える、条項４１に記載の履物品。
【０１０７】
条項４３．アッパーと係合する足首ストラップと、
足挿入開口が閉鎖状態にあるときに、足首ストラップをアッパーと解放可能に固定するファスナと、
をさらに備える、条項４０に記載の履物品。
【０１０８】
条項４４．ロックは、第１のストラップセクションまたは第２のストラップセクションのうち少なくとも１つと係合し、ロックは、アッパーの後部踵領域に位置する、条項３９〜４３のいずれか一項に記載の履物品。
【０１０９】
条項４５．第１のストラップセクションは、アッパーの内側中足部および／または内側前足部領域から、アッパーの足の甲収容部分を横断して、アッパーの外側足首領域の周りで、そしてアッパーの後部踵領域まで延在し、かつ／または
第２のストラップセクションは、アッパーの外側中足部および／または外側前足部領域から、アッパーの足の甲収容部分を横断して、アッパーの内側足首領域の周りで、そしてアッパーの後部踵領域まで延在する、
条項３９〜４４のいずれか一項に記載の履物品。
【０１１０】
条項４６．第１のアッパー構成要素と、
第２のアッパー構成要素と、
第１のアッパー構成要素と第２のアッパー構成要素との間で、そして第１のアッパー構成要素の足の甲収容部分を横断して延在する第１のストラップセクションと、
第１のアッパー構成要素と第２のアッパー構成要素との間で、そして第１のアッパー構成要素の足の甲収容部分を横断して延在する第２のストラップセクションと、
第１のアッパー構成要素または第２のアッパー構成要素のうち少なくとも１つと係合するソール構造体と、
第１のアッパー構成要素、第２のアッパー構成要素、第１のストラップセクション、第２のストラップセクション、またはソール構造体のうち少なくとも１つと係合するロックであって、ロックは、第１のストラップセクションまたは第２のストラップセクションのうち少なくとも１つを締め付け状態で解放可能に保持する、ロックと、
を備える履物品。
【０１１１】
条項４７．第１のアッパー構成要素によって少なくとも部分的に画定される足挿入開口であって、足挿入開口は、（ａ）第１のアッパー構成要素の足首収容部分の第１の側部から、（ｂ）第１のアッパー構成要素の後部踵または足首領域の周りで、（ｃ）第１のアッパー構成要素の足首収容部分の第２の側部に沿って、そして（ｄ）第１のアッパー構成要素の足の甲収容部分まで延在する（例えば、いくつかの実施形態では、（ｉ）足挿入開口は、第１のアッパー構成要素の足の甲収容部分を横断して、そして第１のアッパー構成要素の足の甲収容部分の第１の側部まで（例えば、アッパーの前足部分において第１のアッパー構成要素の中央縦方向軸を横断して）延在してもよく、または（ｉｉ）足挿入開口は、第１のアッパー構成要素の前足部分において第１のアッパー構成要素の中央縦方向軸にまたはその手前にある第１のアッパー構成要素の前足部分内の位置まで（例えば、第１のアッパー構成要素の前足部分において第１のアッパー構成要素の中央縦方向軸を横断せずに）延在してもよい、足挿入開口をさらに備える、条項４６に記載の履物品。
【０１１２】
条項４８．第１のアッパー構成要素と係合するトラックと、トラックと係合するスライダーと、をさらに備え、トラックに沿ったスライダーの移動は、足挿入開口を開放状態と閉鎖状態との間で切り替える、条項４６または４７に記載の履物品。
【０１１３】
条項４９．スライダーと係合する足首ストラップと、
足挿入開口が閉鎖状態にあるときに、足首ストラップを第１のアッパー構成要素または第２のアッパー構成要素のうち少なくとも１つと解放可能に固定するファスナと、
をさらに備える、条項４８に記載の履物品。
【０１１４】
条項５０．第１のアッパー構成要素または第２のアッパー構成要素のうち少なくとも１つと係合する足首ストラップと、
足挿入開口が閉鎖状態にあるときに、足首ストラップを第１のアッパー構成要素または第２のアッパー構成要素のうち少なくとも１つと解放可能に固定するファスナと、
をさらに備える、条項４６に記載の履物品。
【０１１５】
条項５１．第１のアッパー構成要素は、外部アッパー構成要素を含み、第２のアッパー構成要素は、外部アッパー構成要素に少なくとも部分的に受け入れられる、条項４６〜５０のいずれか一項に記載の履物品。
【０１１６】
条項５２．第２のアッパー構成要素は、足受けブーティを含む、条項５１に記載の履物品。
【０１１７】
条項５３．第１のストラップセクションは、第２のアッパー構成要素の踵収容領域の第１の側部に沿って延在し、第２のストラップセクションは、第２のアッパー構成要素の踵収容領域の第２の側部に沿って延在する、条項５１または５２に記載の履物品。
【０１１８】
条項５４．第１のストラップセクションは、第１のアッパー構成要素の第１の後部踵領域において第１のアッパー構成要素を通って延在し、第２のストラップセクションは、第１のアッパー構成要素の第１の後部踵領域において、または第１のアッパー構成要素の第２の後部踵領域おいて、第１のアッパー構成要素を通って延在する、条項５３に記載の履物品。
【０１１９】
条項５５．ロックは、第１のストラップセクションまたは第２のストラップセクションのうち少なくとも１つと係合し、ロックは、第１のアッパー構成要素または第２のアッパー構成要素のうち少なくとも１つの後部踵領域に位置する、条項４６〜５４のいずれか一項に記載の履物品。
【０１２０】
条項５６．（ａ）第１のストラップセクションは、履物品の内側中足部および／または内側前足部領域から、アッパーの足の甲収容部分を横断して、アッパーの外側足首領域の周りで、そしてアッパーの後部踵領域まで延在し、かつ／または（ｂ）第２のストラップセクションは、履物品の外側中足部および／または外側前足部領域から、アッパーの足の甲収容部分を横断して、アッパーの内側足首領域の周りで、そしてアッパーの後部踵領域まで延在する、条項４６〜５５のいずれか一項に記載の履物品。
【図１】
2021502157.tif 000003
【図２Ａ】
2021502157.tif 000004
【図２Ｂ】
2021502157.tif 000005
【図２Ｃ】
2021502157.tif 000006
【図２Ｄ】
2021502157.tif 000007
【図３Ａ】
2021502157.tif 000008
【図３Ｂ】
2021502157.tif 000009
【図３Ｃ】
2021502157.tif 000010
【図３Ｄ】
2021502157.tif 000011
【図３Ｅ】
2021502157.tif 000012
【図４Ａ】
2021502157.tif 000013
【図４Ｂ】
2021502157.tif 000014
【図４Ｃ】
2021502157.tif 000015
【図４Ｄ】
2021502157.tif 000016
【図４Ｅ】
2021502157.tif 000017
【図４Ｆ】
2021502157.tif 000018
【図４Ｇ】
2021502157.tif 000019
【図５Ａ】
2021502157.tif 000020
【図５Ｂ】
2021502157.tif 000021
【国際調査報告】
2021502157.tif 000022
2021502157.tif 000023